(57)【特許請求の範囲】
【請求項１】
加熱部と、
前記加熱部を制御する制御部と、
前記制御部に操作指令を与える操作部と、
前記操作部の操作結果を表示するよう設置された表示部と、を備え、
前記操作部には、調理器全体の定格電力最大設定値を変更するための変更用入力キーを設け、
前記変更用入力キーを操作した場合に、前記表示部には、複数の変更可能な定格電力最高値を同時に文字で表示することに併せて、定格電力最高値を選択変更するための変更キーを表示し、さらに定格電力最高値の変更操作が確定すると、変更前と変更後の定格電力最高値をそれぞれ同時に表示し、
前記制御部には、記憶部を有し、当該記憶部には、前記変更用入力キーによって定格電力最大設定値が変更された場合に、その変更後の設定値が記憶され、次の調理にも適用可能に構成し、
前記操作部には、加熱調理の開始と停止とを操作する切入スイッチを設け、
前記切入スイッチを操作して前記加熱部を使用しようとした場合に、前記表示部には、その時点で設定されている最新の定格電力最大設定値を、最初に自動的に表示させることを特徴とする加熱調理器。
【請求項２】
前記加熱部を複数備え、
前記表示部および前記切入スイッチを複数の前記加熱部にそれぞれ対応して複数備え、
前記切入スイッチを操作して前記加熱部を使用しようとした場合に選択された前記切入スイッチの前記加熱部に対応する前記表示部に、その時点で設定されている最新の定格電力最大設定値を、最初に自動的に表示させることを特徴とする請求項１に記載の加熱調理器。
【請求項３】
前記表示部に、その時点で設定されている最新の定格電力最大設定値を最初に自動的に表示させた後に、更に前記操作部の操作を続けると、前記表示部に、その操作結果をそのつど表示させることを特徴とする請求項１または２に記載の加熱調理器。
【請求項４】
ガイド情報を音声に変換して出力する報知手段を備え、
前記切入スイッチを操作して前記加熱部を使用しようとした場合に、前記報知手段は、その時点で設定されている最新の定格電力最大設定値と当該定格電力最大設定値を変更する操作とを音声でガイドすることを特徴とする請求項１〜３のいずれか１項に記載の加熱調理器。
【請求項５】
前記操作部には、節電効果を発揮させる運転状態となる節電モード運転を前記制御部に指定する選択キーを設け、
前記操作部には、加熱メニューとして湯沸しを選択するキーを設け、
前記制御部は、前記湯沸しを選択するキーを選択された場合に、前記選択キーによって前記節電モード運転が指定されると、前記表示部に、前記定格電力最大設定値を変更する具体的作業方法を表示させることを特徴とする請求項１〜４のいずれか１項に記載の加熱調理器。
【請求項６】
前記操作部には、節電効果を発揮させる運転状態となる節電モード運転を前記制御部に指定する選択キーを設け、
前記操作部には、加熱メニューとして湯沸しを選択するキーを設け、
前記制御部は、前記湯沸しを選択するキーを選択された場合に、前記選択キーによって前記節電モード運転が指定されると、沸騰状態になった時点から第１の所定時間の経過後に自動的に火力を下げ、更に第２の所定時間の経過後に前記加熱部の加熱動作を自動的に停止することを特徴とする請求項１〜５のいずれか１項に記載の加熱調理器。
【請求項７】
前記制御部は、習熟者モードと初心者モードとを判定する機能を有し、前記初心者モードにおいては、前記変更用入力キーによる定格電力最大設定値の変更をできないようにしたことを特徴とする請求項１〜６のいずれか１項に記載の加熱調理器。
【発明の詳細な説明】
【技術分野】
【０００１】
本発明は、複数の加熱部を備えた調理器に関する。
【背景技術】
【０００２】
従来、複数の電気加熱部や誘導加熱部を備えた調理器が知られている。例えばそのような誘導加熱調理器は、それぞれ円形の誘導加熱コイルに独立して通電をすることができ、各加熱部で所定の火力（熱量）で被加熱物（金属鍋）を加熱できるようにしている。
【０００３】
しかしながら、加熱対象となる鍋は、その大きさ（底部分の外径）が常に一定とは限らず、また底面の形状が円形でない場合もあるため、各種鍋に対応できるように外径の異なる円形の誘導加熱コイルを５個設け、それらを２つのグループに分割し、グループ毎に、火力の調節手段を備えた操作部と、表示部とを設けた誘導加熱調理器が提案されている（例えば特許文献１）。
【０００４】
ところで、実際の調理においては、必ずしも底面が丸い円形の鍋だけではなく、長方形や楕円鍋も使用される場面がある。また円形の誘導加熱コイルの外径寸法に近い標準的な大きさの円形鍋だけではなく、その直径よりも大幅に大きな大型鍋や大型鉄板などが使用されることもあるので、独立して加熱制御できる同等の大きさの２つの加熱コイルを利用し、その両加熱コイルを同時に駆動して一つの大きな鍋等を加熱する「連携加熱」又は「協同加熱」タイプの調理器も提案されている（例えば特許文献２）。
【先行技術文献】
【特許文献】
【０００５】
【特許文献１】特開２００９−１７４８２４号公報（第１頁、図１）
【特許文献２】特開２０１１−９０７９号公報（第１頁、図１）
【発明の概要】
【発明が解決しようとする課題】
【０００６】
しかしながら、誘導加熱コイルの数を増やし、またその大きさや新しい加熱駆動形態（前記した連携加熱又は協同加熱）の加熱部を用意すると、使用者が調理条件を設定しようとした場合、火力や加熱時間等の条件設定の場面で迷う場面がある。また操作部の近くには通常一つの液晶表示画面等の表示部があるが、液晶基板はその画面サイズが規格化されており、調理器メーカーが希望するサイズの液晶画面を自由に入手できる環境にはないのが実情であるので、所定の縦、横寸法の表示画面を使用せざるを得ず、一つの操作部を操作する場面で、その操作部に対応した表示画面だけでは使用者に有益な情報を十分に表示できないことが課題となっていた。
【０００７】
そこで本発明は、加熱部を備えた調理器において、加熱部に対応した表示部に変更前後の定格電力最高値をそれぞれ同時に表示し、使用者の視覚による理解を助け、誤解を防止する加熱調理器を提供することを目的としている。
【課題を解決するための手段】
【０００８】
上記課題を解決するために、本出願の発明の加熱調理器は、加熱部と、前記加熱部を制御する制御部と、前記制御部に操作指令を与える操作部と、前記操作部の操作結果を表示するよう設置された表示部と、を備え、前記操作部には、調理器全体の定格電力最大設定値を変更するための変更用入力キーを設け、前記変更用入力キーを操作した場合に、前記表示部には、複数の変更可能な定格電力最高値を同時に文字で表示することに併せて、定格電力最高値を選択変更するための変更キーを表示し、さらに定格電力最高値の変更操作が確定すると、変更前と変更後の定格電力最高値をそれぞれ同時に表示し、前記制御部には、記憶部を有し、当該記憶部には、前記変更用入力キーによって定格電力最大設定値が変更された場合に、その変更後の設定値が記憶され、次の調理にも適用可能に構成し、前記操作部には、加熱調理の開始と停止とを操作する切入スイッチを設け、前記切入スイッチを操作して前記加熱部を使用しようとした場合に、前記表示部には、その時点で設定されている最新の定格電力最大設定値を、最初に自動的に表示させることを特徴とするものである。
【発明の効果】
【０００９】
本発明は、上記のように構成したので、加熱部に対応した表示部に変更前後の定格電力最高値をそれぞれ同時に表示し、使用者の視覚による理解を助け、誤解を防止する加熱調理器を提供することができる。
【図面の簡単な説明】
【００１０】
【図１】本発明の実施形態１に係る誘導加熱調理器を示す斜視図である。
【図２】本発明の実施形態１に係る誘導加熱調理器の一部縦断面図である。
【図３】本発明の実施形態１に係る誘導加熱調理器の全体構成を示すブロック図である。
【図４】本発明の実施形態１に係る誘導加熱調理器を示す平面図である。
【図５】本発明の実施形態１に係る誘導加熱調理器の第２の誘導加熱部説明図である。
【図６】本発明の実施形態１に係る誘導加熱調理器の第２の誘導加熱部回路説明図１である。
【図７】本発明の実施形態１に係る誘導加熱調理器の第２の誘導加熱部回路説明図２である。
【図８】本発明の実施形態１に係る誘導加熱調理器の第２の誘導加熱部における加熱コイル構成説明図である。
【図９】本発明の実施形態１に係る誘導加熱調理器の第２の誘導加熱部における主加熱コイル説明図である。
【図１０】本発明の実施形態１に係る誘導加熱調理器の第２の誘導加熱部における右側加熱部の加熱コイル説明図である。
【図１１】本発明の実施形態１に係る誘導加熱調理器の動作を示すフローチャートである。
【図１２】本発明の実施形態１に係る誘導加熱調理器の動作例１を示す全体平面図である。
【図１３】本発明の実施形態１に係る誘導加熱調理器の動作例２を示す全体平面図である。
【図１４】本発明の実施形態１に係る誘導加熱調理器の動作例３を示す全体平面図である。
【図１５】本発明の実施形態１に係る誘導加熱調理器の操作部と表示部の動作例１を示す要部平面図である。
【図１６】本発明の実施形態１に係る誘導加熱調理器の操作部と表示部の動作例２を示す要部平面図である。
【図１７】本発明の実施形態１に係る誘導加熱調理器の操作部と表示部の動作例３を示す要部平面図である。
【図１８】本発明の実施形態２に係る誘導加熱調理器の動作例１を示す全体平面図である。
【図１９】本発明の実施形態２に係る誘導加熱調理器の動作例２を示す全体平面図である。
【図２０】本発明の実施形態２に係る誘導加熱調理器の操作部平面図である。
【図２１】本発明の実施形態２に係る誘導加熱調理器の動作を示すフローチャートである。
【図２２】本発明の実施形態３に係る誘導加熱調理器の動作例１を示す平面図である。
【図２３】本発明の実施形態３に係る誘導加熱調理器の動作例２を示す平面図である。
【図２４】本発明の実施形態３に係る誘導加熱調理器の操作部拡大説明図１である。
【図２５】本発明の実施形態３に係る誘導加熱調理器の操作部拡大説明図２である。
【図２６】本発明の実施形態３に係る誘導加熱調理器の操作部拡大説明図３である。
【図２７】本発明の実施形態４に係る誘導加熱調理器の操作部拡大説明図１である。
【図２８】本発明の実施形態４に係る誘導加熱調理器の操作部拡大説明図２である。
【図２９】本発明の実施形態４に係る誘導加熱調理器の操作部拡大説明図３である。
【発明を実施するための形態】
【００１１】
実施の形態１
以下、本発明の実施形態１を添付図面に基いて説明する。
図１は、本発明の実施形態１に係る誘導加熱調理器を示す斜視図である。図２は、本発明の実施形態１に係る誘導加熱調理器の一部縦断面図である。図３は、本発明の実施形態１に係る誘導加熱調理器の全体構成を示すブロック図である。図４は、本発明の実施形態１に係る誘導加熱調理器を示す平面図である。図５は、本発明の実施形態１に係る誘導加熱調理器の第２の誘導加熱部説明図である。図６は、本発明の実施形態１に係る誘導加熱調理器の第２の誘導加熱部回路説明図１である。図７本発明の実施形態１に係る誘導加熱調理器の第２の誘導加熱部回路説明図２である。図８は、本発明の実施形態１に係る誘導加熱調理器の第２の誘導加熱部における加熱コイル構成説明図である。図９は、本発明の実施形態１に係る誘導加熱調理器の第２の誘導加熱部における主加熱コイル説明図である。図１０は、本発明の実施形態１に係る誘導加熱調理器の第２の誘導加熱部における右側加熱部の加熱コイル説明図である。図１１は、本発明の実施形態１に係る誘導加熱調理器の動作を示すフローチャートである。図１２は、本発明の実施形態１に係る誘導加熱調理器の動作例１を示す全体平面図である。図１３は、本発明の実施形態１に係る誘導加熱調理器の動作例２を示す全体平面図である。図１４は、本発明の実施形態１に係る誘導加熱調理器の動作例３を示す全体平面図である。図１５は、本発明の実施形態１に係る誘導加熱調理器の操作部と表示部の動作例１を示す要部平面図である。図１６は、本発明の実施形態１に係る誘導加熱調理器の操作部と表示部の動作例２を示す要部平面図である。図１７は、本発明の実施形態１に係る誘導加熱調理器の操作部と表示部の動作例３を示す要部平面図である。
【００１２】
図１〜図１７において、１はアイランド（島）型キッチンとも呼ばれるタイプの誘導加熱調理器本体で、誘導加熱部は全部で５個所あり、いわゆる５口の誘導加熱調理器である。この種の調理器は、台所の中央などに文字通り「島」のように独立して設置されている。
２は、前記本体１の外殻を構成する横長の箱型本体ケースであり、その天面の前方一部を除く他の全部は、耐熱性強化ガラス製や耐熱樹脂性の長方形の板から形成されたトッププレート１２で覆われている。このタイプの調理器は、手前側だけでなく反対の側面からも前記トッププレート１２に臨めるような調理器である。前記本体ケース２の内部には調理器具などの収納庫となる棚が複数設置され、そのような収納庫の上方空間と右側空間が加熱調理器の各構成部品を配置した空間になっている。詳しくは図２を用いてあとで説明する。
【００１３】
前記トッププレート１２の下方には、左側から右へ順次直径が小さくなるように５つの誘導加熱源６Ｌ、６ＭＬ、６ＭＲ、６ＲＢ、６ＲＦを備えている。
【００１４】
６Ｌは最も左側にある第３の誘導加熱源（以下、「左ＩＨ部」という）。６ＭＬは、中央部の左側にある第２の誘導加熱源（以下、「中央左ＩＨ部」という）である。６ＭＲは、中央部の右側にある第１の誘導加熱源（以下、「中央右ＩＨ部」という）である。中央左ＩＨ部と中央右ＩＨ部を総称して「中央ＩＨ部」６Ｍという。６ＲＢは最も右側位置でかつ後ろ側にある第４の誘導加熱源（以下、「右後部ＩＨ部」という）、６ＲＦは最も右側位置で手前（前側）にある第５の誘導加熱源（以下「右前部ＩＨ部」という）である。右後部ＩＨ部と右前部ＩＨ部を総称して「右ＩＨ部」６Ｒという場合がある。６ＬＣは左ＩＨ部の加熱コイル、６ＭＬＣは中央左ＩＨ部の加熱コイル、６ＭＲＣは中央右ＩＨ部の加熱コイルである。なお、右ＩＨ部６Ｒの右後部ＩＨ部６ＲＢと右前部ＩＨ部６ＲＦにも、それぞれ加熱コイルが設けられている。
【００１５】
前記左ＩＨ部の加熱コイル６ＬＣは、図８に示すように、コイルを円形に巻いてドーナッツ状に形成した内側コイル６ＬＣ１と、このコイルに連続して（直列に）コイルが巻かれたドーナッツ状の外側コイル６ＬＣ２との２つの部分を中心部に具備している。外側コイル６ＬＣ２と内側コイル６ＬＣ１の両者を総称して以下「主加熱コイル」ＭＣという。
【００１６】
内側コイル６ＬＣの内径Ｄ１は６０ｍｍ、外側コイル６ＬＣ２の外径Ｄ２は１２０ｍｍである。そして外側コイル６ＬＣ２と内側コイル６ＬＣ１の間に形成した環状の隙間、あるいは内側コイル６ＬＣ１の中心部の空間に後述する温度センサー３１Ｅが設置されている。
【００１７】
左ＩＨ部６Ｌは、主加熱コイルＭＣ単独と、この主加熱コイルＭＣの周囲に所定間隔に配置された４つの副加熱コイルＳＣ１〜ＳＣ４とを備えており、主加熱コイルＭＣ単独加熱と副加熱コイルの両者を同時に通電して「協同加熱」することができる。４つの側部加熱コイルＳＣ１〜ＳＣ４を総称して「側部加熱コイル」という場合がある。この構成と動作については後で詳しく述べる。
【００１８】
前記左ＩＨ部６Ｌの加熱コイル６ＬＣの右側には、間隔Ｗ１を置いて中央左ＩＨ部６ＭＬの（左側）加熱コイル６ＭＬＣが設置され、この中央左ＩＨ部の加熱コイル６ＭＬＣの右側には、間隔Ｗ２を置いて中央右ＩＨ部の（右側）加熱コイル６ＭＲＣが配置されている。
【００１９】
これら２つの加熱コイル６ＭＬＣ、６ＭＲＣの外径（直径）Ｄ６、Ｄ７は共に１８０ｍｍに設定されている。なお、前記間隔Ｗ１は１５０ｍｍ、Ｗ２は３０〜５０ｍｍである。なお、２つの加熱コイル６ＭＬＣ、６ＭＲＣは加熱可能な被加熱物Ｎの（底面の）最小外径が１６０ｍｍになっている。２つの加熱コイル６ＭＬＣ、６ＭＲＣのコイル幅はそれぞれ約１０ｍｍである。
また加熱コイル６ＭＣ、６ＲＣは、それぞれ直径０．１〜０．３ｍｍの細いコイル素線を２０〜３０本程度纏め（以下、「集合線」という）、この集合線を１本又は複数本撚りながら一方向に巻いて環状に形成されている。主加熱コイルＭＣを構成する前記内側コイル６ＬＣ１と、外側コイル６ＬＣ２も同様な集合線で形成されている。
【００２０】
図１０に示すように、中央右ＩＨ部６ＭＲでは、内側コイル６ＭＲＣ１と外側コイル６ＭＲＣ２を別々にインバーター回路２３Ａと２３Ｂで加熱駆動できるようにしてある。そのため外側コイル６ＭＲＣ１の外径よりも小さい径の鍋にも対応できる。この外側コイル６ＭＲＣ２の外径Ｄ７は前記したように中央右ＩＨ部６Ｒの外径寸法であり、直径１８０ｍｍである。また内側コイル６ＭＲＣ１の外径Ｄ１０は１００ｍｍであり、内側コイル６ＭＲＣ１と外側コイル６ＭＲＣ２とも、コイル幅（コイルを上方向から見た場合の幅）は約１０ｍｍである。
【００２１】
内側コイル６ＭＲＣ１と外側コイル６ＭＲＣ２は、集合線の構成が同じであり、かつ同じ巻き数で巻かれたものであるとすると、内側の環状コイル６ＲＣ１面積は、大きな外径の外側の環状コイル６ＭＲＣ２の面積よりも小さくなる。因みに前記した寸法で計算すると、以下のようになる。
内側の環状コイル６ＭＲＣ１の平面積：約２８ｃｍ２
外側の環状コイル６ＭＲＣ２の平面積：約５３ｃｍ２
【００２２】
前記中央右ＩＨ部の（右側）加熱コイル６ＭＲＣの右側には、間隔Ｗ３を置いて第３の誘導加熱部６Ｒが設置されている。誘導加熱部６Ｒは、後側加熱コィル６ＲＢＣと、その後側コイルの前方に間隔Ｗ４を保って設置された前側加熱コイル６ＲＦＣから構成されている。
【００２３】
右後部加熱コィル６ＲＢＣの外径寸法Ｄ８と前側加熱コイル６ＲＦＣの外径Ｄ９とは、ともに１２０ｍｍである。なおＷ３は１５０ｍｍ、Ｗ４は４０ｍｍである。
【００２４】
左ＩＨ部６Ｌ、中央左ＩＨ部６ＭＬ及び中央右ＩＨ部６ＭＲの定格最大火力は、共に３０００Ｗであり、定格最小火力は共に１００Ｗである。但し、中央左ＩＨ部６ＭＬと中央右ＩＨ部６ＭＲを協同加熱駆動する場合、両者合計の定格最大火力は、３０００Ｗであり、定格最小火力は１００Ｗである。
【００２５】
また左ＩＨ部６Ｌと中央左ＩＨ部６ＭＬ及び中央右ＩＨ部６ＭＲの３者は、個別に駆動する場合は、火力の段階数と具体的な各段階の火力値も全く同じに設定してある。右後部ＩＨ部６ＲＢと右前部ＩＨ部６ＲＦの定格最大火力は共に１０００Ｗであり、定格最小火力は１００Ｗに設定してある。これは右後部ＩＨ部６ＲＢと右前部ＩＨ部６ＲＦを協同加熱する場合も、２つの加熱コイルの合計火力は１５００Ｗ、定格最小火力は１００Ｗに設定してある。
【００２６】
図１において、３は本体ケース２の右側面に設けた吸気口、４はトッププレート１２の左端部から外れた位置に設けた排気口である。本体ケース２の内部空間には、前記吸気口３から室内の空気を導入する送風機（図示せず）が設置されており、導入された空気によって５つの誘導加熱源（ＩＨ部）６Ｌ、６ＭＬ、６ＭＲ、６ＲＢ、６ＲＦ及びそれらの回路基板４１Ａ、４１Ｂ、４１Ｃ、４１Ｄ（後で詳しく述べる）が冷却され、前記排気口４から排出されるようになっている。
【００２７】
図２において、１３は本体ケース２の右側内部に形成した電気部品の収納室で、その右側壁面には前記吸気口３が形成されている。１４は電気部品の収納ケースで、全体が耐熱性プラスッチック等で中空の箱型に形成されており、その右壁面下部には通気口１４Ａが開口しており、また天井面には排気口１４Ｂが開口している。
４１Ａ、４１Ｂ、４１Ｃ、４１Ｄは、前記した５つの誘導加熱源（ＩＨ部）６Ｌ、６ＭＬ、６ＭＲ、６ＲＢ、６ＲＦのインバーター回路を実装した回路基板であり、前記部品ケース１４の内部に互いに間隔を置いて垂直に設置されている。
【００２８】
４１Ａは左ＩＨ部６Ｌ用のインバーター回路２０、２１を実装した回路基板、４１Ｂが中央左ＩＨ部６ＭＬ用のインバーター回路２２を実装した回路基板、４１Ｃが中央右ＩＨ部６ＭＲ用のインバーター回路２３を実装した回路基板、４１Ｄが右ＩＨ部６Ｒ用のインバーター回路２４、２５を実装した回路基板である。
【００２９】
左ＩＨ部６Ｌ用のインバーター回路２０、２１を実装した回路基板４１Ａが、最も面積が大きく、次に大きいのは中央右左Ｈ部用の回路基板４１Ｂと中央右ＩＨ部用の回路基板４１Ｃである。最も小さいのは右ＩＨ部６Ｒ用の回路基板４１Ｄである。特に左ＩＨ部のインバーター回路２０、２１には、後述するように主加熱コイル用のインバーター回路ＭＩＶと、４つの副加熱コイルＳＣ用インバーター回路ＳＩＶがあり、これらに使用されているスイッチング素子やダイオード素子は、右ＩＨ部６Ｒ用のインバーター回路２４、２５や中央ＩＨ部６Ｍ用のインバーター回路２２、２３に比較して遥かに多いため、必然的に回路パターンの面積も大きくなり、回路基板自体が大きくなっている。
【００３０】
１５は各回路基板４１Ａ〜４１Ｄにそれぞれ２個以上取り付けられたアルミ製の放熱フィンであり、インバーター回路を構成する電力制御用の半導体スイッチング素子などの発熱部品を取り付けてあり、それら発熱部品を空冷するためのものである。
１６は前記本体ケース２の内部を上下に仕切る仕切板で、前記部品ケース１４の天井部に対応する位置に大きな通気口１７を形成している。またこの仕切板は本体ケース２の内部に電気部品の収納室１３を区画するものであり、収納室１３の天井壁面になっている。
【００３１】
１８は耐熱性プラスッチック等の絶縁性素材から一体に形成されたコイルベースであり、全体に通気性を持たせるため、多数の透孔が形成されている。このコイルベースは、図２に示すように加熱コイル６ＲＦＣが設置されるものであり、この加熱コイル６ＲＦＣ以外の全ての加熱コイルにも同様にそれぞれコイルベースが用意されている。
【００３２】
１９は前記部品ケース１４の通気口１４Ａに対し、吸気口３から吸引した室内の空気を強制的に供給する送風機であり、例えば軸流送風機や多翼式送風機である。２６は前記仕切板１６の上方に形成された加熱コイルの収納空間であり、本体ケース２の中を右から左端部まで長く連続して形成されており、末端部は前記排気口４を介して再び室内空間に連通する。前記送風機１９からの空気は図２に矢印で示すように、各回路基板４１Ａ〜４１Ｄの相互間とその周囲の通路を通って上方に流れ、その過程で各放熱フィン１５を冷却し、更に加熱コイルの収納空間２０に流れて加熱コイル６ＲＢＣや６ＲＦＣを冷却し、その後左側方向に向きを変えて最後に前記排気口４から放出するまでに途中の加熱コイル６ＭＣ、６ＬＣを冷却する。なお、加熱コイル６ＲＢＣと６ＲＦＣを冷却した風と、その下流位置にある加熱コイル６ＭＣ、６ＬＣを冷却する風を、ダクトや板などで分岐して案内するようにしても良い。
【００３３】
２７は本体ケース２の内部に区画形成された食器類収納室、２８は前記収納室１３と食器類収納室２８の間を仕切る仕切板である。
【００３４】
５は操作部で、本体ケース２の上面で前記トッププレート１２より手前に横に長く帯状に設けてある。この操作部は、トッププレート１２の一部を枠体等で覆って形成する場合と、単にトッププレート１２の上面に印刷や塗装等で枠を表示する場合の何れでも良い。
【００３５】
５Ａは右前部ＩＨ部６ＲＦの操作部、５Ｂは右後部ＩＨ部６ＲＢの操作部、５Ｃは中央右ＩＨ部６ＭＲの操作部、５Ｄは中央左ＩＨ部６ＭＬの操作部、５Ｅは左ＩＨ部６Ｌの操作部である。１１は、主電源の投入・遮断を行うスイッチ（図示せず）の操作キーであり、操作部５の右端部にあり、全ての加熱部の電源を一斉に遮断できる。
【００３６】
図１４〜図１６は本発明の実施の形態１に係る操作部５の例を示す上面図である。図１４〜１６において、操作部５の左右中央部には、中央右ＩＨ部６ＭＲの操作部５Ｃと、中央左ＩＨ部６ＭＬの操作部５Ｄがある。５１Ｒは中央右ＩＨ部６ＭＲによる加熱調理の開始・停止操作をする切入スイッチ、５２Ｒは、その中央右ＩＨ部６ＭＲによる加熱調理の火力を設定する一対の火力設定（増減操作）スイッチ、５３Ｒは中央右ＩＨ部６ＭＲの各種調理を選択するメニューキーである。
【００３７】
５４Ｒは中央右ＩＨ部６ＭＲのヘルプキーであり、調理の開始前や途中でその調理に関する参考情報を聞き出したり、表示部１０に表示させたり、あるいは操作の手順を案内させたりすることができる。つまり音声ガイド装置１１４のガイド情報を再度聞き直したい場合等に操作することができる。このヘルプキーの操作回数や操作頻度などに応じて習熟者モードや初心者モードが自動的に制御部１００によって判定される。またヘルプキーの操作回数や操作頻度の情報は、制御部１００が隣接する表示部８Ｌを、表示部８Ｒの表示中に同時に駆動するかどうかの判断に利用する。
【００３８】
なお、図示していないが、加熱コイル６ＭＲＣの通電時間を設定するための時間設定キーや、加熱開始時から制御部１００が経過時間を計測し、設定時間になったら加熱を停止する切タイマーキーも設けてあるが、説明は省略する。
【００３９】
なお、中央左ＩＨ部６ＭＲの操作部５Ｃやその他加熱部の操作部も上記した中央右ＩＨ部６ＭＲの操作部５Ｃと同様な構成である。すなわち、図１４に示すように、中央左ＩＨ部６ＭＬの操作部５Ｄには、中央左ＩＨ部６ＭＬによる加熱調理の開始・停止操作をする切入スイッチ５１Ｌ、中央左ＩＨ部６ＭＬによる加熱調理の火力を設定する一対の火力設定（増減操作）スイッチ５２Ｌ、中央左ＩＨ部６ＭＬの各種調理を選択するメニューキー５２Ｌ、中央左ＩＨ部６ＭＬのヘルプキー５４Ｌをそれぞれ備えている。前記した時間設定キーや、切タイマーキーも同様に設けている。
【００４０】
そしてヘルプキー５４Ｌの操作回数や操作頻度などに応じて習熟者モードや初心者モードが自動的に制御部１００によって判定される。またヘルプキー５４Ｌの操作回数や操作頻度の情報は、制御部１００が、隣接する表示部８Ｒを、表示部８Ｌの表示中に同時に駆動するかどうかの判断に利用する。５６は２つの隣接する操作部５Ｄ、５４の範囲を、使用者が混同しないように設けた仕切線であり、操作部５表面に前後に印刷して設けてあり、この仕切線は二つの表示部８Ｒ、８Ｌの境界線上にある。
【００４１】
なお、表示部８Ｒ、８Ｌの上方を覆うトッププレート１２は、その表示部８Ｒ、８Ｌの真上とその周縁の位置だけは特別に透明にしてある（遮光塗料などの皮膜を設けていない）。このためトッププレート１２の上から表示部８Ｒ、８Ｌの液晶画面に表示される前記文字１５やその他数字、記号等を使用者は容易に視認できる。５７は、前記表示部８Ｒ、８Ｌの外周に沿って形成した発光表示部で、図示していない発光ダイオード（ＬＥＤ）の光を底面に受けて、長方形の導光体が特定の色の光をトッププレート１２の方向に発するようになっている。前記発光ダイオードは、表示部１０の一部として制御部１０によって通電が制御される。真上位置だけは特別に透明にしてある（遮光塗料などの皮膜を設けていない）。このため、発光表示部５７が発光した場合、２つの表示部８Ｒ、８Ｌが光の帯で囲まれたような形態になり、２つの表示部８Ｒ、８Ｌの一体感を増大させている。なお、前記特定の色とは、本実施の形態１では黄色である。
【００４２】
７は、右前部ＩＨ部６ＲＦの操作部５Ａと、右後部ＩＨＩＨ部６ＲＢの操作部５Ｂとの共用の表示部で、液晶画面で構成されている。
８Ｒは中央右ＩＨ部６ＭＲの操作部５Ｃ用の表示部で、液晶画面で構成されている。８Ｌは中央左ＩＨ部６ＭＬの操作部５Ｄ用の表示部で、液晶画面で構成されている。
９は左ＩＨ部６Ｌの操作部５Ｅ用の表示部で、液晶画面で構成されている。以下の説明では、全ての表示部を包括的に指す場合は符号１０を用いる。
【００４３】
次に通電制御部や温度検知部などを含む制御装置について、図２を参照しながら説明する。１００は通電制御回路で、１つ又は２つ以上のマイクロコンピュータを備えており、加熱調理器全体の制御プログラムが内部の記憶部に格納されている。
【００４４】
３１は、被加熱物Ｎからトッププレート１２を透過して放射されて来る赤外線の量を測定し、被加熱物Ｎの底部温度を検知する赤外線センサーである。以後このセンサーを「温度センサー」と呼ぶ。この温度センサーは少なくとも合計１１個あり、主加熱コイルＭＣの中心部に設置された温度センサー３１Ａ、主加熱コイルと側部加熱コイルＳＣの間の空間又は側部加熱コイルＳＣの内側空間内にそれぞれ１個ずつ設置した４つの温度センサー３１Ｂ、中央左ＩＨ部６ＭＬに設置した温度センサー３１Ｃ、中央右ＩＨ部６ＭＲに設置した温度センサー３１Ｅ、中央左ＩＨ部の（左側）加熱コイル６ＭＬＣとその右側の加熱コイル６ＭＲＣの間の位置に設置された温度センサー３１Ｄ、右後部ＩＨ部に設置した温度センサー３１F、右前部ＩＨ部に設置した温度センサー３１G、右後部ＩＨ部３ＲＢと右前部ＩＨ部３ＲＦの間に設置した温度センサー３１Ｈから構成されている。
【００４５】
図３には前記温度センサー３１Ｄの位置が分かるように表示しているが、実際はトッププレート１２によって覆われているので、温度センサー３１Ｄは使用者には目視できない（他の温度センサー３１も同様に目視できない）。また右後部ＩＨ部３ＲＢと右前部ＩＨ部３ＲＦの間に設置した温度センサー３１Ｈも図示していない。
【００４６】
温度センサー３１Ｄは、中央左ＩＨ部の加熱コイル６ＭＬＣと中央右ＩＨ部の加熱コイル６ＭＲＣの上に跨るような、単一の大きな被加熱物Ｎが使用されて協同加熱する場合、その被加熱物Ｎの温度変化を検知するために設けてある。
【００４７】
３２は温度検出回路で、前記温度センサー３１から送られてくる被加熱物Ｎの底部温度データを処理し、被加熱物Ｎの温度を推定する処理を行い、この結果をリアルタイムで通電制御回路１００に送るので、誘導加熱時の通電制御回路１００の温度制御動作に利用される。
【００４８】
左ＩＨ部６Ｌの加熱コイル６ＬＣ、中央左ＩＨ部６ＭＬの加熱コイル６ＭＬＣ、中央右ＩＨ部６ＭＲの加熱コイル６ＭＲＣ、右後部ＩＨ部６ＲＢの加熱コィル６ＲＢＣ、及び右前部ＩＨ部６ＲＦの加熱コイル６ＲＦＣには、それぞれ専用のインバーター回路２０〜２５が接続されている。
【００４９】
２０は左ＩＨ部６Ｌの主加熱コイルＭＣ用のインバーター回路、２１は同じく左ＩＨ部６Ｌの側部加熱コイルＳＣ用のインバーター回路、２２は中央左ＩＨ部６ＭＬ用のインバーター回路、２３は中央右ＩＨ部６ＭＲ用のインバーター回路、２４は右前部ＩＨ部６ＲＦ用のインバーター回路、２５は右後部ＩＨ部６ＲＢ用のインバーター回路である。
【００５０】
３３は、被加熱物載置判断部であり、左ＩＨ部６Ｌの主加熱コイルＭＣと側部加熱コイルＳＣの両方に流れる電流を検出して、加熱コイルＭＣと側部加熱コイルＳＣの両者の上に共通の被加熱物Ｎが置かれていることを検知する。
【００５１】
また被加熱物載置判断部３３は、中央左ＩＨ部６ＭＬの加熱コイル６ＭＬＣと中央右ＩＨ部６ＭＲの加熱コイル６ＭＲＣに流れる電流を検出して、２つの加熱コイル６ＭＣＬと加熱コイル６ＭＲＣの上に単一の被加熱物Ｎが置かれていることを検知する。実際には加熱コイルの入力側と出力側の両方で電流を検出することがより正確な感知のために望ましい。詳細な動作については後で詳しく述べる。なお、同様に被加熱物載置判断部３３は、右後部ＩＨ部６ＲＢの加熱コィル６ＲＢＣと右前部ＩＨ部６ＲＦの加熱コイル６ＲＦＣに流れる電流を検出して、２つの加熱コイルの上に単一の被加熱物Ｎが置かれていることを検知する。
【００５２】
図３において、１１２は本体ケースの前面上部壁面に設置された複数個の人感センサーであり、本体ケース２の横方向に所定間隔で２個以上設けてあり、人がそのセンサーの前方に入る場合といない場合を検知する。１１４は、音声合成装置であり、制御部１００からの指示に従って、所定のガイド情報を音声に変換してスピーカー１１３から出力するものである。なお、以後の説明において、前記音声合成装置１１４とスピーカー１１３を「報知手段」という場合がある。
【００５３】
図４、図１２、図１３においてＣＬ１は本体ケース２の上面における前後方向中心線であり、ＣＬ２は左ＩＨ部６Ｌの主加熱コイルＭＣの中心点を横切る中心線を示している。
【００５４】
次に、前記左ＩＨ部６Ｌを構成している加熱コイル６ＬＣの構成について説明する。
図３は、前記左ＩＨ部６Ｌを制御する構成要素を示したブロック図である。４個の副加熱コイルＳＣ１〜ＳＣ４は、図８に示すように前記主加熱コイルＭＣの外周面に所定の空間ＧＰ１を保って配置されている。
【００５５】
４つの副加熱コイルＳＣ１〜ＳＣ４の相互間には、略一定の空間ＳＰが保たれ、一般にコイルベースと呼ばれる通気性のある耐熱性樹脂製の支持枠の上に固定されている。この空間ＳＰの寸法は、各副加熱コイルＳＣ１〜ＳＣ４と主加熱コイルＭＣ外周縁との空間ＧＰ１よりも２倍以上大きく設定されている。
【００５６】
この副加熱コイルＳＣ１〜ＳＣ４は、主加熱コイルＭＣと同様に、直径０．１〜０．３ｍｍの細いコイル素線を２０〜３０本程度纏めた集合線を、１本又は複数本撚りながら一方向に巻き、外形形状が長円形や小判形になるようにし、その後、その形状を保つために部分的に結束具で拘束され、又は全体が耐熱性樹脂などで固められることで形成されている。４つの副加熱コイルＳＣ１〜ＳＣ４は平面的形状が同じで、縦・横・高さ（厚さ）寸法も全て同一寸法である。従って１つの副加熱コイルを４個製造し、それを４箇所に配置している。
【００５７】
これら４つの副加熱コイルＳＣ１〜ＳＣ４は図８に示すように、中心点Ｘ１から半径Ｒ１の主コイルＭＣの周囲において、その接線方向が丁度各副加熱コイルＳＣ１〜ＳＣ４の長手方向の中心線と一致している。言い換えると接線方向と長径方向は一致している。
【００５８】
副加熱コイルＳＣ１〜ＳＣ４は、それぞれの集合線が長円形に湾曲しながら伸びて電気的に一本の閉回路を構成している。また主加熱コイルＭＣの垂直方向寸法（高さ寸法、厚さともいう）と各副加熱コイルＳＣ１〜ＳＣ４の垂直方向寸法は同じであり、しかもそれら上面と前記トッププレート１２の下面との対向間隔は同一寸法になるように水平に設置、固定されている。
【００５９】
図８において、Ｄ２は主加熱コイルＭＣの外径寸法、Ｄ３は全部の副加熱コイルＳＣ１〜ＳＣ４の幅方向の中間点を結ぶ円の直径、Ｄ４は全部の副加熱コイルＳＣ１〜ＳＣ４の最も外側の周縁点を結ぶ円の直径、Ｄ５は左側誘導加熱源によって誘導加熱できる金属製の鍋等の被加熱物Ｎの最大外径寸法を示す。
【００６０】
ＷＡは副加熱コイルＳＣ１〜ＳＣ４の横幅（「厚み」又は「短径」ともいう）寸法である。またＬ１は副加熱コイルＳＣ１〜ＳＣ４の長径である。
以上説明した各部分の寸法の例は以下の通り。
ＧＰ１：１０ｍｍ
Ｄ１：６０ｍｍ
Ｄ２：１２０ｍｍ
Ｄ３：１８８ｍｍ
Ｄ４：２３６ｍｍ
Ｌ１：１２０〜１２５ｍｍ
ＷＡ：４８ｍｍ
Ｄ４の寸法から、底部の外形寸法ＤＷが２４０ｍｍ〜３００ｍｍ程度の大きさの金属鍋や調理用鉄板等を誘導加熱できる。
【００６１】
図５は、加熱調理器に内蔵された電源装置の回路ブロック図である。本願発明に係る電源装置は、概略、三相交流電源を直流電流に変換するコンバーター（例えばダイオードブリッジ回路、または整流ブリッジ回路ともいう）と、コンバーターの出力端に接続された平滑用コンデンサー、この平滑用コンデンサーに並列に接続された主加熱コイルＭＣのための主インバーター回路（電源回路部）ＭＩＶと、同様に平滑用コンデンサーに並列に接続された各副加熱コイルＳＣ１〜ＳＣ４のための副インバーター回路（電源回路部）ＳＩＶ１〜ＳＩＶ４とを備える。
【００６２】
なお、この図には後述する中央誘導加熱源６Ｍと右側誘導加熱部６Ｒは記載していない。また以下の説明では、４つの副加熱コイルＳＣ１〜ＳＣ４を総称する場合の符号として「ＳＣ」を用いる。同様に４つの副インバーター回路ＳＩＶ１〜ＳＩＶ４を総称する場合の符号として「ＳＩＶ」を用いる。
【００６３】
図３で示した主インバーター回路２０は、図５で示す主インバーター回路ＭＩＶであり、また図２で示した副インバーター回路２１は、図５で示す副インバーター回路ＳＩＶである。これら各インバーター回路は、前記コンバーターからの直流電流を高周波電流に変換し、それぞれ主加熱コイルＭＣおよび副加熱コイルＳＣに高周波電流を（互いに）独立して供給するものである。
【００６４】
一般に、誘導加熱コイルのインピーダンスは、誘導加熱コイルの上方に載置された被加熱物Ｎの有無および大きさ（面積）に依存して変化するから、これに伴って前記主インバーター回路ＭＩＶと副インバーター回路ＳＩＶに流れる電流量も変化する。本発明の電源装置では、主加熱コイルＭＣと副加熱コイルＳＣに流れる、それぞれの電流量を検出するための電流センサーを備えた電流検出部を有する。この電流検出部は、後述する被加熱物載置判断部（被加熱物載置状態検出手段）３３を構成する一部である。また他の加熱コイルにも同様な電流センサーがそれぞれ設置されている。
【００６５】
本発明によれば、被加熱物載置判断部３３の電流検出部を用いて、主加熱コイルＭＣと副加熱コイルＳＣに流れる電流量を検出することにより、それぞれのコイルの上方に被加熱物Ｎが載置されているか否か、または被加熱物Ｎの底部面積が所定値より大きいか否かを推定し、その推定結果を通電制御回路１００に伝達するので、被加熱物Ｎの載置状態について精度よく検出することができる。
【００６６】
なお、被加熱物Ｎの載置状態を検出するものとして、主インバーター回路ＭＩＶと副インバーター回路ＳＩＶに流れる電流量を検出する電流検出部の代わりに、機械式センサー、光学的センサーなどの他の任意のセンサーを用いて被加熱物Ｎの載置状態を検知してもよい。
【００６７】
本発明の電源装置の通電制御回路１００は、図示のように、被加熱物載置判断部３３に接続されており、被加熱物Ｎの載置状態に応じて、主インバーター回路ＭＩＶと副インバーター回路ＳＩＶに制御信号を与えるものである。すなわち、通電制御回路１００は、被加熱物載置判断部３３で検出された主加熱コイルＭＣと副加熱コイルＳＣ１〜ＳＣ４に流れる電流量に関する信号（被加熱物Ｎの載置状態を示すデータ）を受け、被加熱物Ｎが載置されていないか、あるいは被加熱物Ｎの直径が「所定値」（例えば１００ｍｍ）より小さいと判断した場合には、それら主加熱コイルＭＣと副加熱コイルＳＣ１〜ＳＣ４への高周波電流の供給を禁止又は（既に供給開始されている場合はそれを）停止するように主インバーター回路ＭＩＶと副インバーター回路ＳＩＶを選択的に制御する。なお、ここで前記「所定値」が１００ｍｍになっているのは、主加熱コイルＭＣの直径Ｄ２が１２０ｍｍの場合であるためであり、その直径Ｄ２が変化すれば所定値も変化する。実際の加熱度合い等を実験して実際には最適な所定値を決めることが望ましい。
【００６８】
本発明によれば、通電制御回路１００は、被加熱物Ｎの載置状態に応じた制御信号を主インバーター回路ＭＩＶと副インバーター回路ＳＩＶに供給することにより、主加熱コイルＭＣと副加熱コイルＳＣ１〜ＳＣ４への給電を互いに独立して制御することができる。
【００６９】
また、中央にある主加熱コイルＭＣを駆動せず（ＯＦＦ状態とし）、かつ、すべての副加熱コイルＳＣ１〜ＳＣ４を駆動する（ＯＮ状態とする）ことにより、フライパンなどの鍋肌（鍋の側面）だけを余熱するといった調理方法も実現可能となる。
【００７０】
なお、操作部５には、左側誘導加熱源６Ｌの協同加熱動作、すなわち主加熱コイルＭＣと副加熱コイルＳＣとの同時加熱を使用者が任意で禁止するスイッチを更に備えても良い。このようにすれば、明らかに直径の小さい鍋を左側誘導加熱源６Ｌで加熱する場合、使用者が協同加熱ではなく、主加熱コイルＭＣ単独での加熱を選択できる。つまり、主加熱コイルＭＣと副加熱コイルＳＣに流れる電流量を、被加熱物載置判断部３３によって検出することにより、それぞれのコイルの上方に被加熱物Ｎが載置されているか否か、または被加熱物Ｎの底部面積が所定値よりも大きいか否かを通電制御回路１００が推定・処理する必要はなくなる。
【００７１】
次に左ＩＨ部６Ｌ、中央ＩＨ部６ＭＲ、６ＭＬ、及び右ＩＨ部６Ｒによって加熱調理する場合の加熱量を決める「火力」について説明する。
前記通電制御回路１００によって以下の通り火力の調節範囲が決定されており、使用者は前記操作部５によって任意でこれらの火力値の中から所望の火力を選択できる。
左ＩＨ部６Ｌ：定格最大火力３０００Ｗ、定格最小火力１００Ｗ。
火力値は、１００Ｗ、３００Ｗ、５００Ｗ、７５０Ｗ、１０００Ｗ、１５００Ｗ、２０００Ｗ、２５００Ｗ、３０００Ｗの９段階。
中央ＩＨ部６ＭＲ、６ＭＬ：定格最大火力３０００Ｗ、定格最小火力１００Ｗ。
火力値は、１００Ｗ、３００Ｗ、５００Ｗ、７５０Ｗ、１０００Ｗ、１５００Ｗ、２０００Ｗ、２５００Ｗ、３０００Ｗの９段階。
右ＩＨ部６ＲＢ、６ＲＦ：定格最大火力１５００Ｗ、定格最小火力１００Ｗ。
火力値は１００Ｗから１００Ｗ毎に１５００Ｗまで合計１５段階。
【００７２】
主加熱コイルＭＣと、副加熱コイルＳＣの一部又は全部を同時に加熱駆動する場合、主加熱コイルＭＣに流れる高周波電流と副加熱コイルＳＣにそれぞれ流れる高周波電流の向きは、隣接する側において同じ向きとなることが加熱効率の観点から好ましい。これは、このように２個の独立したコイルの隣接する領域において、同一方向に電流が流れる場合、その電流で発生する磁束は互いに強め合い、被加熱物Ｎを鎖交する磁束密度を増大させ、被加熱物底面に渦電流を多く生成して効率良く誘導加熱できるからである。
【００７３】
主加熱コイル用のインバーター回路ＭＩＶは、可変周波数出力制御方式を採用しているため、その周波数を変化させることでインバーター電力、すなわち得られる火力を可変とすることができる。インバーター回路ＭＩＶの駆動周波数を高く設定していくと、インバーター電力は低下していき、スイッチング手段（例えば、ＩＧＢＴ）や共振コンデンサー等の回路構成電気・電子素子の損失が増加し、発熱量も多くなって好ましくないので、所定の上限周波数を決め、それ以下で変化させるように制御している。上限周波数で連続的に制御できるときの電力が最低電力となるが、これ未満の電力を投入する場合は通電を断続的に行う、通電率制御を併用して最終的な小火力を得ることができる。副加熱コイル用のインバーター回路ＳＩＶも同様にして火力制御できる。
【００７４】
またインバーター回路ＭＩＶの駆動に用いる駆動周波数は、副加熱コイル用のインバーター回路ＳＩＶの駆動周波数と基本的に同じにしている。変える場合は、両者の駆動周波数の差が可聴周波数域とならないよう、駆動周波数の差が１５０００〜２００００Ｈｚの範囲から外れるように通電制御回路１００が制御する。これは２つ以上の誘導加熱コイルを同時に駆動した場合、その周波数の差によってビート音又は干渉音と呼ばれるような、不快な音の原因になるからである。
【００７５】
なお、主インバーター回路ＭＩＶと、副加熱コイル用のインバーター回路ＳＩＶとは、常に同じ時間に駆動する必要はなく、例えば、通電制御回路２００が指令する火力によっては、短い時間間隔で交互に加熱動作を行うように切り替えても良い。
【００７６】
前述したように、全ての加熱コイル部には、加熱コイルと共振コンデンサーの並列回路からなる共振回路に流れる電流を検出するための電流センサーを設けている。全てのＩＨ部（誘導加熱部）に設けた電流センサーの検出出力は、被加熱物載置判断部（被加熱物載置状態検出手段）３３に入力され、これを介して通電制御回路１００に対して被加熱物Ｎがあるかどうかという判定情報が供給され、被加熱物Ｎの存在判定が行われる。
【００７７】
また誘導加熱に不適当な鍋（被加熱物Ｎ）などが用いられた場合や、何らかの事故などによって正規の電流値に比較して所定値以上の差の過少電流や過大電流が検出された場合は、通電制御回路１００によって関係するインバーター回路が制御され、瞬時に誘導加熱コイルの通電を停止するようになっている。
【００７８】
本発明のような誘導加熱方式で被加熱物Ｎを加熱する加熱調理器においては、左右ＩＨ部６Ｌ、６Ｒ、中央ＩＨ部６Ｍ、右ＩＨ部６Ｒに高周波電力を流すための電力制御回路は、いわゆる共振型インバーターと呼ばれている。被加熱物Ｎ（金属物）を含めた左右の加熱コイル６ＬＣ、６ＲＣ、６ＭＣのインダクタンスと、共振コンデンサーを接続した回路に、スイッチング回路素子を２００００〜４００００ＫＨｚ程度の駆動周波数でオン・オフ制御する構成である。なお、中央ＩＨ部６Ｍのインバーター回路２２、２３は、右ＩＨ部６Ｒのインバーター回路２４、２５と同様な構成であり、中央ＩＨ部６Ｍのインバーター回路２２、２３は、前記右ＩＨ部６Ｒ用のインバーター回路２４、２５と並列に前記商用電源７５に接続されている。
【００７９】
また共振型インバーターには、２００Ｖ電源に適すると言われている電流共振型と、１００Ｖ電源に適すると言われている電圧共振型とがある。このような共振型インバーター回路の構成には、例えば加熱コイル６ＬＣ、６ＲＣと共振コンデンサーの接続先をリレー回路でどのように切り替えるかによって、いわゆるハーフ・ブリッジ回路とフル・ブリッジ回路と呼ばれる方式に分かれる。
【００８０】
本発明の実施の形態で使用しているフル・ブリッジ回路を図６と図７に示している。
具体的に説明すると、電源部（電源回路）７４を有する。電源部７４は、直流電源部８０と、主インバーター回路ＭＩＶ、４つの副インバーター回路ＳＩＶ１〜ＳＩＶ４を有する。なお、図６では主インバーター回路ＭＩＶと、副インバーター回路ＳＩＶ１の２つしか記載していないが、接続点ＣＰ１、ＣＰ２を有したインバーター回路ＳＩＶと同様構成の、３つの副インバーター回路ＳＩＶ２〜ＳＩＶ４が、図７に示すように通電制御回路１００に対してそれぞれ並列に接続されている。つまり副インバーター回路ＳＩＶ１と同様に、他の３つの副インバーター回路ＳＩＶ２、ＳＩＶ３、ＳＩＶ４の両端部になる接続点ＣＰ３，ＣＰ４、ＣＰ５，ＣＰ６、ＣＰ７が、それぞれ接続点ＣＰ１、ＣＰ２の回路に接続されている。
【００８１】
以上の説明から明らかなように、４つの副インバーター回路ＳＩＶ１〜ＳＩＶ４は、直流電源部８０と通電制御回路１００に対してそれぞれ並列に接続された構成になっている。
【００８２】
前記交流電源７５は、単相又は三相の商用交流電源である。交流電源７５は、この交流電源７５から出力される交流電流を全波整流する整流回路７６に接続されている。整流回路７６は、この整流回路で全波整流された直流電圧を平滑化する平滑コンデンサー８６に接続されている。
【００８３】
主インバーター回路ＭＩＶと、４つの副インバーター回路ＳＩＶ１〜ＳＩＶ４は、交流を直流に変換したのち、更にこの直流を高周波の交流に変換する、フルブリッジインバータである。各インバー回路ＭＩＶ、ＳＩＶ１〜ＳＩＶ４は、電源部７４の直流電源部８０に接続されている。
【００８４】
図７に示しているように、主インバーター回路ＭＩＶと、副インバーター回路ＳＩＶ１はそれぞれ、２組のスイッチング素子の対（ペア、組ともいう）７７Ａ，７８Ａ、７７Ｂ、７８Ｂを有する。主インバーター回路ＭＣのスイッチング素子の対７７Ａと７８Ａはそれぞれ、直列接続された２つのスイッチング素子７９Ａ，８１Ａと８８Ａ、８９Ａを有する。副インバーター回路ＳＩＶ１のスイッチング素子の対７７Ｂと７８Ｂはそれぞれ、直列接続された２つのスイッチング素子１０２Ｂ，１０３Ｂと１０４Ｂ，１０５Ｂを有する。
図示していないが、図６に示す副インバーター回路ＳＩＶ２、ＳＩＶ３、ＳＩＶ４にも、前記したような２組のスイッチング素子をそれぞれ備えている。
【００８５】
そして、スイッチング素子７９Ａ，８１Ａの出力点間とスイッチング素子８８Ａ，８９Ａの出力点間に、主加熱コイルＭＣと、共振コンデンサー１１０Ａを含む直列共振回路とが接続されている。また、スイッチング素子１０２Ｂ、１０３Ｂの出力点間とスイッチング素子１０４Ｂ，１０５Ｂの出力点間に、副加熱コイルＳＣ１と共振コンデンサー１１０Ｂを含む直列共振回路とが接続されている。同様に図示していないが、他の３つの副インバーター回路ＳＩＶ２、ＳＩＶ３、ＳＩＶ４にも、それぞれ同様に副加熱コイルＳＣ２〜ＳＣ４と共振コンデンサー（図示せず）１１０Ａを含む直列共振回路が接続されている。
【００８６】
主インバーター回路ＭＩＶの２組のスイッチング素子の対７７Ａ，７８Ａには、それぞれ駆動回路２２８Ａ、２２８Ｂが接続されている。副インバーター回路１の２組のスイッチング素子の対７７Ｂ、７８Ｂには、駆動回路２２８Ｃ，２２８Ｄが接続されている。残りの３つの副インバーター回路ＳＩＶ２〜ＳＩＶ４にも、それぞれ駆動回路２２８Ｅ、２２８Ｆ、２２８Ｇ、２２８Ｈ、２２８Ｉ、２２８Ｊ（いずれも図示せず）が１個ずつ接続されている。そして、これら全ての駆動回路２２８Ａ〜２２８Ｊが通電制御回路１００を介して被加熱物載置判断部２８０に接続されている。なお、主インバーター回路ＭＩＶの２組のスイッチング素子の対７７Ａ，７８Ａの駆動タイミングを、駆動回路２２８，２２８Ｂで制御し、位相差を制御することで主加熱コイルＭＣに流れる電流の量を調節できる。
【００８７】
以上の構成であるので、通電制御回路１００は、主加熱コイルＭＣに時計回り方向の高周波電流を流す場合、互いに隣接する領域（主加熱コイルの外周領域）において、４つの副加熱コイルＳＣ１〜ＳＣ４に印加された高周波電流ＩＢと、主コイルＭＣに流れる高周波電流ＩＡとが同一方向（反時計回り方向）に流れるよう主インバーター回路ＭＩＶと副インバーター回路ＳＩＶを制御する機能を有する。
【００８８】
逆に、主加熱コイルＭＣに反時計回り方向の高周波電流ＩＡを流す場合、副加熱コイルＳＣ１〜ＳＣ４に印加された高周波電流ＩＢが、互いの隣接領域において同一方向（時計回り方向）に流れるよう、主インバーター回路ＭＩＶと全ての副インバーター回路ＳＩＶ１〜ＳＩＶ４を制御するものである。これは前記したように周波数の差に起因する異音の発生を抑止できる。
【００８９】
（調理開始前の準備段階）
調理の開始にあたっては、まず操作部５のキー１１を操作して主電源を投入し、加熱準備動作を使用者が指令した場合、前記被加熱物載置判断部３３によって、主加熱コイルＭＣと副加熱コイルＳＣそれぞれのコイルの上方に被加熱物Ｎが載置されているか否か、または被加熱物Ｎの底部面積が所定値より大きいか否かが推定され、この推定結果が制御部である通電制御回路１００に伝達される。
【００９０】
通電制御回路１００では、大径鍋に適する加熱処理にするか通常鍋に適する加熱処理にするか等が決定される（所定の小電流を加熱コイルに流し、その結果を電流センサーで検知する）。
適合鍋であるが、通常サイズの鍋や小鍋、あるいは加熱不適合等の場合は、大径鍋とは別の処理になる。
【００９１】
（調理開始段階）
以上によって大径鍋を対象にした調理工程に移行する準備完了となり、調理メニュー選択後、速やかに誘導加熱動作が開始される。なお、鍋底面の直径が１２０ｍｍ〜１８０ｍｍ程度の鍋を「通常鍋」、直径１２０ｍｍ未満の鍋を「小型鍋」と呼んでいる。これらの鍋の場合も基本的には上記ステップと同様である。なお、ここでいう直径とは、鍋底面の直径であるので、鍋胴体の直径寸法はこれより大きい。
【００９２】
「通常鍋」や「小型鍋」の場合も「湯沸し」や「保温」などの調理メニューが表示部１０に表示されるが、「通常鍋」や「小型鍋」の場合は、この実施の形態１では中心部の主加熱コイルＭＣだけでしか加熱しないので、制御内容（火力や通電パターンなど）は大きく異なる。当然、副加熱コイルＳＣの全部やその一部だけを個別に加熱駆動できないので、副加熱コイルＳＣを利用した加熱パターンはない。
【００９３】
主加熱コイルＭＣの電流センサーと副加熱コイルＳＣの４つの電流センサーによって、上方に同一の被加熱物Ｎが載置されているか否かを判断する基礎情報が前記被加熱物載置判断部３３に入力される。電流変化を検出することで、前記被加熱物載置判断部３３は主加熱コイルＭＣと副加熱コイルＳＣのインピーダンスの変化を検出し、長方形や楕円状の鍋（被加熱物Ｎ）が載置されている主加熱コイルＭＣのインバーター回路ＭＩＶ及び副加熱コイルＳＣの各インバーター回路ＳＩＶを駆動し、４つの副加熱コイルＳＣ１〜ＳＣ４の内、楕円状の鍋（被加熱物Ｎ）が載置されているもの（少なくとも１つ）に高周波電流を流し、楕円状の鍋（被加熱物Ｎ）が載置されていない他の副加熱コイルに対しては、高周波電流を抑制又は停止するように前記通電制御回路１００が指令信号を発する。
【００９４】
例えば、被加熱物載置判断部３３が主加熱コイルＭＣと、１つの副加熱コイルＳＣ１の上方に同一の楕円状の鍋（被加熱物Ｎ）が載置されていると判断したときに、通電制御回路１００は、主加熱コイルＭＣと特定の副加熱コイルＳＣ１だけを連動して動作させ、予め定めた火力割合によってそれら二つの加熱コイルにそれぞれのインバーター回路ＭＩＶ、ＳＩＶ１によって高周波電力を供給する（この火力配分については、後で詳しく説明する）。
【００９５】
ここで「火力割合」とは、例えば使用者が左ＩＨ加熱源６Ｌで３０００Ｗの火力で調理しようと調理開始している場合、通電制御回路２００が、主加熱コイルＭＣを２４００Ｗ、副加熱コイルＳＣ１を６００Ｗというように配分した場合、その２４００Ｗと６００Ｗの比のことをいう。この例の場合では４：１である。
【００９６】
この副加熱コイルＳＣ１単体を駆動して誘導加熱調理することはできず、また他の３つの副加熱コイルＳＣ２、ＳＣ３、ＳＣ４の各単体及びそれらを組み合わせても誘導加熱調理することはできないようになっている。言い換えると主加熱コイルＭＣが駆動される場合に初めてその周辺にある４つの副加熱コイルＳＣ１、ＳＣ２、ＳＣ３、ＳＣ４の何れか１つ又は複数が同時に加熱駆動されることが特徴である。仮に、４つの副加熱コイルＳＣ１、ＳＣ２、ＳＣ３、ＳＣ４の全ての上方を覆うような大きな外径の被加熱物Ｎが置かれた場合、４つの副加熱コイルが駆動される制御パターンが、通電制御回路１００の制御プログラムの中に用意されている。
【００９７】
実際の駆動パターンとしては、次のものがある。
その１：主加熱コイルＭＣが加熱駆動されている場合に、同時に副加熱コイルＳＣ１、ＳＣ２、ＳＣ３、ＳＣ４の全部又は一部が、所定の順序や火力で加熱駆動される。
その２：主加熱コイルＭＣが加熱駆動している期間中、副加熱コイルＳＣ１、ＳＣ２、ＳＣ３、ＳＣ４の全部又は一部が、所定の順序や火力で加熱駆動される。
【００９８】
なお、前記主電源スイッチの操作キー１１をＯＮにすると、最初に全ての操作部５Ａ、５Ｂ、５Ｃ、５Ｄ、５Ｅがトッププレート１２の下方にある光源（図示せず）によって照らされ、操作キー群が表示される。そこで所望の操作キーをタッチ操作すると、その操作によってその特定の操作キーに隣接した位置にある表示部１０（７、８Ｒ、８Ｌ、９）の中の何れか１つがバックライトに照らされて表示動作が開始される。例えば操作部５Ｅを操作すると、表示部９のバックライトだけが点灯する。そこで更に操作を続けると、その操作結果がそのつど表示部１０に表示され、必要な情報を表示する。その表示の一環として、静電容量式のタッチ式入力キーを表示する。そして表示された所定のキーをタッチ操作することで、加熱開始の指令を使用者が与えると、後述する通電制御回路１００が特定の誘導加熱源を加熱駆動する。
【００９９】
この実施の形態では各種スイッチング回路素子、例えば図５に示すスイッチング素子７７Ａ，８１Ａ，８８Ａ，８９Ａを珪素によって形成されたものを示したが、珪素に比べてバンドギャップが大きいワイドバンドギャップ半導体によって形成してもよい。ワイドバンドギャップ半導体としては、例えば、炭化珪素、窒化ガリウム系材料、ダイヤモンド、ガリウムナイトライド（ＧａＮ）などがある。このようなワイドバンドギャップ半導体によって形成されたスイッチング素子やダイオード素子は、耐電圧性が高く、許容電流密度も高いため、スイッチング素子やダイオード素子の小型化が可能であり、これら小型化されたスイッチング素子やダイオード素子を用いることにより、これらの素子を組み込んだ半導体モジュールの小型化が可能となる。
【０１００】
また耐熱性も高いため、ヒートシンクの放熱フィンの小型化や、水冷部の空冷化が可能であるので、半導体モジュールの一層の小型化が可能になる。
【０１０１】
更に電力損失が低いため、スイッチング素子やダイオード素子の高効率化が可能であり、延いては半導体モジュールの高効率化が可能になる。
【０１０２】
図２に示したように、本体ケース２内部には、右ＩＨ部６Ｒ用のインバーター回路２４、２５を実装した１枚の回路基板４Ｄと、中央ＩＨ部６Ｍ用のインバーター回路２２、２３を実装した２枚の回路基板４１Ｂ、４１Ｃを設置している。
また同様に、左ＩＨ部のインバーター回路２０、２１を実装した１枚の大きな回路基板４１Ａを設置している。特に、回路基板４１Ａに実装されたインバーター回路２０、２１は、主加熱コイル用のインバーター回路ＭＩＶと、４つの副加熱コイルＳＣ用インバーター回路ＳＩＶがあり、これらに使用されているスイッチング素子やダイオード素子は、右ＩＨ部６Ｒ用のインバーター回路２４、２５や中央誘導加熱源６Ｍ用のインバーター回路２２、２３に比較して遥かに多い。
【０１０３】
そこでこれらスイッチング素子やダイオード素子を組み込んだ半導体モジュールの小型化は、従来にも増して望まれる。
このような課題は、本実施の形態１においては、ワイドバンドギャップ半導体によって形成されたスイッチング素子やダイオード素子を用いることで従来よりも簡単に解決できる。すなわち、ワイドバンドギャップ半導体は耐熱性も高いため、電力の制御に伴って発熱する半導体スイッチング素子を取り付けた冷却用の放熱フィンの小型化が可能となり、結果として回路基板の設置空間も小さくでき、本体ケース２の内部の収納ケース１４内に無理なく設置できることになる。このため回路基板を収納する空間の確保のために加熱コイルの大きさや設置位置の自由度も確保できる。結果として本体ケース２の、限られた天面部面積の中で、左ＩＨ部６Ｌのような大きな外径の加熱コイル６ＬＣを含む、複数個の誘導加熱コイル６ＭＣ、６ＲＣを横に並べることができ、使い勝手を向上させることが可能になる。
【０１０４】
なお、スイッチング素子及びダイオード素子の両方がワイドバンドギャップ半導体によって形成されていることが望ましいが、いずれか一方の素子がワイドバンドギャップ半導体よって形成されていてもよく、上記したような効果を得ることができる。
【０１０５】
なお、図８、図１２〜図１４においてハッチングを施した部分が加熱駆動、又は表示動作を行っている状態を示している。表示部１０は、対応する誘導加熱源（ＩＨ部）が加熱駆動されない場合は、最初にバックライトが点灯してから一定の時間を経過すると自動的に消灯し、何も表示しない状態に自動的に戻る。
【０１０６】
以上のような構成であるから、左ＩＨ部６Ｌでは、主加熱コイルＭＣだけで加熱調理できるような大きさの被加熱物Ｎ、例えば鍋底の直径が１４０ｍｍの鍋が置かれた場合、直径Ｄ２が１２０ｍｍの主加熱コイルＭＣだけが通電制御回路１００によって加熱駆動される。仮に鍋底の大きさが、長径２４０ｍｍ、短径１５０ｍｍであるような楕円形又は長方形の鍋や金属性焼き板が置かれた場合、被加熱物Ｎの載置状態検知部３３がその状態を検知し、被加熱物Ｎの置かれた位置に応じて主加熱コイルＭＣと、１つ又は複数の側部加熱コイルＳＣが同時に駆動され、インバーター回路２０、２１から高周波電力が供給される。
【０１０７】
このように、左ＩＨ部６Ｌでは底部の形状が長方径や楕円形などの場合でも、主加熱コイルＭＣと１つ又は複数個の副加熱コイルＳＣ１〜ＳＣ４を組み合わせ、それらの協同加熱によって加熱調理できる。
【０１０８】
さらに、中央左ＩＨ部の加熱コイル６ＭＬＣは直径１８０ｍｍ、中央右ＩＨ部の（右側）加熱コイル６ＭＲＣの直径も１８０ｍｍ、これら２つの加熱コイル６ＭＬＣ、６ＭＲＣの相互間隔Ｗ２は３０〜５０ｍｍにしてあるので、長径２５０ｍｍ、短径１００ｍｍのような非円形の被加熱物Ｎ，例えば焼き物用の長方形鉄板が図１０に破線で示すように置かれた場合、２つの加熱コイル６ＭＬＣ、６ＭＲＣを協同加熱駆動できる。この場合も、被加熱物載置判断部３３が大きな被加熱物Ｎの載置状態を検知し、２つのインバーター回路２２、２３から高周波電力が供給される。この場合、２つのインバーター回路から供給される高周波電力は、相互に干渉しないように連携させる。
【０１０９】
ここで「連携」とは、２つの加熱コイルの両方を動作させる場合、前記通電制御回路１００が、１つのインバーター回路の動作と他のインバーター回路の動作を連携させることであり、加熱の開始、加熱の停止あるいは火力の変更のうち、少なくともいずれか一つのタイミングが一致するようにすることである。このタイミングとは開始の時期と終わる時期の双方が合致することをいう。また１つのインバーター回路の動作周波数と他のインバーター回路の動作周波数が異なる場合、その差が可聴音となり、使用者に不快な異音として聞こえることがある。そこで２つ以上のインバーター回路を同時に動作させる場合、通電制御回路１００は動作させる複数のインバーター回路の動作周波数を同一となるように制御している。また温度センサー３１の温度検知データに基づいて誘導加熱時の火力を増減させる場合も、使用者が設定した火力が複数のインバーター回路で適当に配分されるように制御している。
【０１１０】
この実施の形態１では以上説明したように、左ＩＨ部６Ｌの全部の副加熱コイルＳＣを包含する円の直径Ｄ３（１８８ｍｍ）を参考に、例えば直径２００ｍｍよりも大きな異形の被加熱物Ｎの場合は、隣接する２つの中央左ＩＨ部６ＭＬと中央右ＩＨ部６ＭＲを協同加熱駆動することで対応できるように、通電制御回路１００の制御プログラムを設定しておけば良い。
【０１１１】
逆に主加熱コイルＭＣの直径よりも大きいが、隣接する２つの中央左ＩＨ部６ＭＬと中央右ＩＨ部６ＭＲでは協同加熱できないような大きさの長円形や長方形の被加熱物Ｎの場合には、左ＩＨ部の主加熱コイルＭＣと隣接する側部加熱コイルＳＣとの両者によって協同加熱駆動することで対応できる。
【０１１２】
さらに、２つの中央左ＩＨ部６ＭＬと中央ＩＨ部６ＭＲは、前記したように加熱可能な被加熱物Ｎの最小外径が１５０ｍｍになっているので、これら両者の何れでも対応できないような小径、例えば直径１３０ｍｍの鍋の場合は、加熱コイル径が何れも１２０ｍｍである右後部ＩＨ部６ＲＢと右前部ＩＨ部６ＲＦの何れでも加熱できる。
【０１１３】
このように、この実施の形態１においては、多種の大きさ、形状の被加熱物Ｎにも対応して加熱調理でき、利便性が更に向上するものである。
【０１１４】
図１４に示すように２つの右後部ＩＨ部６ＲＢと右前部ＩＨ部６ＲＦを協同加熱駆動すれば、更に多様な大きさ、形状の鍋に対応できる。この場合、中央左ＩＨ部６ＭＬと中央右ＩＨ部６ＭＲは左右に並べてあったので、横方向に長い被加熱物Ｎに対応できたが、右後部ＩＨ部６ＲＢと右前部ＩＨ部６Ｒは前後方向に配置しているので、協同加熱時に前後方向に長い被加熱物Ｎに対応できる。しかも右後部ＩＨ部６ＲＢと右前部ＩＨ部６ＲＦは、中央左ＩＨ部６ＭＬと中央右ＩＨ部６ＭＲの加熱コイルに比較して小径であるため、この右後部ＩＨ部６ＲＢと右前部ＩＨ部６Ｒを利用して協同加熱する鍋は、方形の卵焼き用鍋など比較的小型で、片手でも簡単に持てるものである。従って協同加熱域が前後方向にあることで、使用者がそのような鍋の取手を持って調理する場合に鍋の操作をしやすい。
【０１１５】
他方、中央左ＩＨ部６ＭＬと中央右ＩＨ部６ＭＲは、その加熱コイルの直径や配置間隔から見て、協同加熱の対象となる被加熱物Ｎは、長径が３００ｍｍを超えるような大型のものも想定される。そのような大型の鍋は両手で持って取り扱うことから、通常は左右に取手部が突出していることが想定される。しかし、本実施の形態１では、中央左ＩＨ部６ＭＬの左側には比較的広い幅Ｗ１（この例では１５０ｍｍ以上）が確保され、また中央右ＩＨ部６ＭＲの左側には比較的広い幅Ｗ３（この例では１５０ｍｍ以上）が確保されているので、中央ＩＨ部６Ｍによる協同加熱時に大型の非円形鍋が置かれても、その左側及び右側位置に隣接した他の加熱部の調理の邪魔になる可能性は少ない。
【０１１６】
なお、図１４に矢印ＤＹ、ＤＸで示すように、２個所で協同加熱する場合、その協同加熱域の長手方向を互いに異ならせることが使い勝手向上から望ましい。協同加熱域の面積が小さい場合は、右後部ＩＨ部６ＲＢと右前部ＩＨ部６ＲＦの加熱コイル６ＲＢＣ、６ＲＦＣのように前後方向に設けることが望ましい。
【０１１７】
なお、図１３に示しているように、中央右ＩＨ部６ＭＬと、中央右ＩＨ部６ＭＲの上方に単一の被加熱物Ｎが置かれていて、この被加熱物Ｎを協同加熱モードで駆動する場合、火力を連動して制御する機能を備えている。
また右後部ＩＨ部６ＲＢと右前部ＩＨ部６ＲＦでも、それら２者の上方に単一の被加熱物Ｎが置かれていて、この被加熱物Ｎを協同加熱モードで駆動する場合、火力を連動して制御する機能を備えている。
【０１１８】
ここでいう火力の連動とは、使用者が設定した火力の範囲で、中央右ＩＨ部６ＭＬと、中央右ＩＨ部６ＭＲの間の火力配分が決まることをいう。また右後部ＩＨ部６ＲＢと右前部ＩＨ部６ＲＦでも同様に使用者が設定した火力の範囲で火力配分が決まることをいう。例えば、使用者が設定した火力が２０００Ｗであった場合、中央右ＩＨ部６ＭＬと、中央右ＩＨ部６ＭＲの間の火力配分は原則的に１：１であり、２つの加熱部は１０００Ｗずつの火力を発揮するように制御部が適当な制御を行う。例えばインバーター回路の入力側と出力側の電流や電圧などを検知して、目標の火力に近づくようなフィードバック制御をする。仮に加熱コイルが２個でなく、４個同時に通電して協同加熱する場合は、使用者が設定した火力値（例えば２０００Ｗ）の範囲で、４等分した火力（つまり５００Ｗ）が各コイルに供給される電力値になるが、瞬間的又は使用者が火力を途中で変更したような場合には、ある時間内では上記のような火力配分にならない場合があるが、そのようなケースでも、実際の調理の出来上がりには悪影響ない。
【０１１９】
また左ＩＨ部６Ｌと中央ＩＨ部６Ｍ全体の定格最大火力を３０００Ｗに統一してあり、また定格最小火力も１００Ｗに揃えてあるので、沸騰後に鍋を隣の加熱部に移動させ、移動された先の加熱部で引き続き長時間煮込み調理をするとき場合も想定されるが、そのような場合でも火力の調節が容易になり、使い勝手が良い。また左ＩＨ部６Ｌと中央左ＩＨ部６Ｍは、火力の段階数と具体的な各段階の火力値も全く同じに設定してあるので、同様に使い勝手が良い。
【０１２０】
なお、図１０に示すように、中央右ＩＨ部６ＭＲは、内側コイル６ＭＲＣ１と外側コイル６ＭＲＣ２を別々にインバーター回路２３Ａと２３Ｂで加熱駆動できるようにしてある。そのため外側コイル６ＭＲＣ１の外径よりも小さい径の鍋にも対応できる。例えば前述したように、２つの加熱コイル６ＭＬＣ、６ＭＲＣの外径Ｄ６、Ｄ７は共に１８０ｍｍに設定されているので、２つの加熱コイル６ＭＬＣ、６ＭＲＣは加熱可能な被加熱物Ｎの（底面の）最小外径が１６０ｍｍである。しかし、内側コイル６ＭＲＣ１の外径寸法を、例えば１００ｍｍ〜１２０ｍｍ程度にした場合、１６０ｍｍ〜１００ｍｍ程度の直径の鍋まで対応できる。中央左ＩＨ部６ＭＬの加熱コイル６ＭＬＣについても、同様に、内側コイルと外側コイルの二重形式にして、内・外を別々に加熱駆動するようにしても良いが、この実施の形態１ではそのような構成にしていない。
【０１２１】
また、左ＩＨ部６Ｌにおいても、前記主加熱コイルＭＣを構成する内側コイル６ＬＣ１と外側コイル６ＬＣ２を、別々に加熱駆動できるように変更すれば、外径１３０ｍｍの内側コイル６ＬＣ１の単独加熱によって、左側ＩＨ部６Ｒでも更に小径の鍋に対応できることになる。つまり、外径１３０ｍｍの内側コイル６ＬＣ１の単独加熱によって、左側ＩＨ部６Ｒでも更に小径の鍋に対応できることになる。つまり、前述したように、内側コイル６ＬＣの内径Ｄ１は６０ｍｍ、外側コイル６ＬＣ２の外径Ｄ２は１２０ｍｍであるから、内側コイル６ＬＣだけを加熱駆動すれば、外側コイル６ＬＣ２の外径Ｄ２（１２０ｍｍ）よりも小さく直径、例えば１００ｍｍの鍋も問題なく加熱できる。
【０１２２】
次に、中央右ＩＨ部６ＭＲ内側の環状コイル６ＭＲＣ１、外側の環状コイル６ＭＲＣ２に電流を流して磁界を発生させ、トッププレート２１上に載置された鍋を加熱する場合について説明する。
【０１２３】
直径寸法の大きい外側の環状コイル６ＭＲＣ２と、直径寸法の小さい環状コイル６ＭＲＣ１に同一の電流を流すと、平面積の大きい外側の環状コイル６ＭＲＣ２から発生する磁界が鍋の加熱に寄与する総量の方が、内側の環状コイル６ＭＲＣ１よりも大きくなる。
【０１２４】
この実施の形態１によれば、外径１００ｍｍの内側環状コイル６ＭＲＣ１と、この外側を囲む外径１８０ｍｍの外側環状コイル６ＭＲＣ２との２つの部分から構成し、かつ、この加熱コイル６ＭＲＣ１、６ＭＣ２には、それぞれ個別にインバーター回路２３Ａ、２３Ｂ２から高周波電流が供給され、２つの環状コイルは互いに独立して加熱駆動される。
【０１２５】
このため、例えば内側の環状コイル６ＭＲＣ１だけを駆動して、小径（例えば８０ｍｍ〜１２０ｍｍ程度）の被加熱物Ｎを誘導加熱することができる一方、外側環状コイル６ＭＲＣ２と内側環状コイル６ＲＣ１を同時に駆動して（又は短時間に交互通電して）、より大きな直径、例えば２００ｍｍ程度のものも加熱できる。
【０１２６】
さらに、小径の環状コイル６ＭＲＣ１と大径の環状コイル６ＭＲＣ２に、それぞれにインバーター回路２３Ａ、２３Ｂ２を接続し、両方の加熱コイルに流れる電流の周波数を同一にしているため、スイッチング素子の動作周波数やデューティを変化させることにより、内側の環状コイル６ＭＲＣ１と大径の外側環状コイル６ＭＲＣ２に流す電流を一定の範囲内で任意の異なる値に設定することができる。デューティ比を変化させて電力を調節する場合、スイッチング素子に印加される電圧値が一定の条件では、デューティ比が０．５、つまり、直列に接続された２つのスイッチング素子の導通状態と非導通状態の比率が１：１のときに最も出力が大きくなる。
【０１２７】
本構成によれば、インバーター回路２３Ａ、２３Ｂ２から、２つの加熱コイルに異なる電流を流すことができるため、内外それぞれの加熱コイルから発生させる磁界量を変化させることができる。
【０１２８】
従来、外側の加熱コイルに対して内側の加熱コイルは加熱コイル径が小さいため加熱に寄与されにくく、外側の加熱コイルが発生する磁界が大きく加熱分布がドーナツ状になっていたが、この実施の形態１では、内側と外側に別々のコイル電流を流すことによって、内側の環状コイル６ＭＲＣ１に流れるコイル電流を増大させ、加熱量を増やすことにより、中央右ＩＨ部の加熱コイル６ＭＲＣ全体に均一な加熱分布をえることができるようになる。
【０１２９】
複数の加熱コイルで１つの鍋を加熱する場合、鍋に与える電力は、それぞれの加熱コイルが鍋に与える電力の和であるため、所定の定格最大火力（例えば２０００Ｗ）の範囲内で、内側の加熱コイルに流す電流を多くして得られる火力を大きくした量に比例して、外側の加熱コイルに流す電力量を少なくすれば良く、内側と外側の加熱コイルの温度差を小さくすることができる。
【０１３０】
また、内側の加熱コイル６ＭＲＣ１にたくさんの電流を流すことにより、巻数の少なかった内側の加熱コイル６ＭＲＣ１でも発熱量を大きくすることができる。外側環状コイル６ＭＲＣ２が発生する磁界が強くなりすぎて、加熱分布が平均化されず、いわゆる外周部分でドーナツ状に加熱の強度が大きかった従来例に比較し、加熱分布を均一状態に近づけることができるため、調理性能のよい誘導加熱調理器を提供することができる。
【０１３１】
さらにまた、内側の環状コイル６ＭＲＣ１と大径の外側環状コイル６ＭＲＣ２を電気的に直列に接続していた場合、それら内・外加熱コイルには同一電流が流れることになる。それら２つの加熱コイルの集合線の構成（素線径やその本数等）が同じあった場合、電流が流れることができる面積が同一であるため加熱コイルで発生する単位面積あたりの損失は同一となる。
この理由から、大径の外側環状コイル６ＭＲＣ２の巻数と、内側環状コイル６ＭＲＣ１の巻き数がこの実施の形態のように同じ場合は良いが、仮に外側環状コイル６ＭＲＣ２の方の巻き数を多くした場合には、大径の外側環状コイル６ＭＲＣ２の方が内側環状コイル６ＭＲＣ１に比較して、放熱され難く、温度上昇も大きいので、使用継続すると内側環状コイル６ＭＲＣ１よりも高温度になる。
【０１３２】
しかしながら、この実施の形態１では、このような「巻き数が異なる」場合でも外側の加熱コイル６ＭＲＣ２に流す電力量を少なくすることができるので、加熱コイルの最高温度を下げることができる。このため最高温度を意識して送風機１９からの冷却風量を大きくするような風路設計が必要なくなり、加熱コイルを冷却するための風量を少なくすることができ、送風機１９の回転数を落とすこと等により、静音化も期待できる。
【０１３３】
次に本発明の特徴である表示部の動作について説明する。
具体的動作の説明の前に、「初心者モード」と「習熟者モード」の意味、違いについて説明する。
「習熟者モード」とは、この加熱調理器の使用にある程度慣れた主婦などの使用者を想定し、調理条件の設定や加熱の開始、停止などを通常のレベルで要求するものである。
【０１３４】
これに対し「初心者モード」とは、この種の加熱調理器の使用に慣れていない使用者や初めて使用する使用者等を想定し、習熟者モードで要求していたような操作手順の一部を省略できるものであり、操作に不慣れな使用者がより簡単に調理でき、かつ的確に操作しやすいようにすることを目的に設けている。対象とする使用者から「初心者操作モード」と呼ぶ場合や、より安心して使用できるという意味から「安心操作モード」と呼ぶ場合もある。簡単操作モードと通常操作モードの違いについては後の説明によっても明らかになる。
【０１３５】
また「初心者モード」では、調理器の使用可能な機能が一部制限されるようにしても良い。例えば、操作部に含まれるスイッチのうち、基本的な調理メニューである「加熱」と「揚げ物の自動調理（図示しない赤外線センサー等の温度センサーにより、油温が一定になるように火力が自動制御されるもの）」に関連するスイッチのみが使用可能となり、これ以外の調理メニュー、例えば、高速湯沸し（任意火力で湯沸しでき、最大火力３０００Ｗでも湯沸し可能）や手動揚げ物調理（手動で任意に火力を調節しながら天ぷら等の調理するもの）、自動炊飯の３つを選択するスイッチを使用不能にする（当該スイッチの入力キー自体が操作部に表示されない）というようなものでも良い。
【０１３６】
初心者モードのときは、習熟者モードのときよりも詳細な内容の音声ガイドが出力される。初心者モードでは、音声ガイドの内容を詳細にすることにより、加熱調理器の操作に不慣れな初心者等の操作性及び安全性の向上を図っている。また、習熟者モードのときよりも操作部に表示される入力キーの総数を減らすという工夫をしても良い。なお、以下の説明では前記した「初心者モード」と「習熟者モード」の何れか一つを加熱調理器の制御部１００が選択する動作を「モード選択」という。
【０１３７】
図１１に示すフローチャートは、中央右ＩＨ部６ＭＲを使用する前提で記載している。
以下、図１１の各ステップに基づき説明する。なお、ステップは「ＳＴ」と省略する。
【０１３８】
（ＳＴ１）
使用者は主電源スイッチのキー１１をオンにする。これにより制御部１００等に電力が供給される。
【０１３９】
（ＳＴ２〜ＳＴ３）
制御部１００は、複数個の人検知部１１２を同時に起動し、所定の短時間間隔で人の存在を繰り返しチェックする。人がいることが検知された場合、次の処理ＳＴ４に進む。
【０１４０】
（ＳＴ４）
制御部１００は、初期設定として初心者モードを選択する。さらに制御部１００は、その記憶部から初心者モード用のガイド情報を取得し、当該ガイド情報を音声合成装置１１４に伝達するから、音声合成装置は、初心者モードに応じた音声ガイドをスピーカー１１３により出力させる。例えば「最初に使用する加熱源を選択して下さい。選択は各加熱源の手前にある入切スイッチにタッチすれば行えます」というような案内をする。
【０１４１】
（ＳＴ５）
使用者が切入スイッチ５１Ｒを操作した場合、中央右ＩＨ部６ＭＲを選択したことになる。
この選択操作が行われないと、如何なる表示部７、８Ｒ、８Ｌ、９の液晶画面もバックライトが点灯せず、文字や記号などが一切表示されない。
【０１４２】
（ＳＴ６）
使用者が切入スイッチ５１Ｒを操作した場合、中央右ＩＨ部６ＭＲが選択され、表示部８Ｒの液晶画面もバックライトが点灯し、文字や記号などが表示される。
【０１４３】
（ＳＴ７）
使用者は表示部８Ｒの液晶画面の文字や記号を見ながら、調理メニューの選択をする。調理メニューの選択はキー５３Ｒを押すたびに順次表示部８Ｒに調理の名称などが表示されるので、所望のメニューが表示部８Ｒに出るまでキー５３Ｒを押す。
【０１４４】
（ＳＴ８）
使用者が調理メニューの選択をする際に、調理メニューの意味が不明であった場合、あるいは調理メニューを選択した後の操作や調理実行に際しての参考事項や注意事項などを知りたい場合は、前記したヘルプキー５４Ｒを押せば良い。ヘルプキー５４Ｒは、メニューキー５３Ｒが操作された段階や回数に応じて、その場面にあった参考情報や注意事項を音声合成装置１１４から出力させるように制御部１００に操作信号を送信する。
一定時間（例えば１０秒間）メニュー選択キー５３Ｒを押さないと、その直前に押した調理メニューを選択したと制御部１００が判断し、調理メニューの選択を確定させる。
【０１４５】
（ＳＴ９）
使用者が調理メニューの選択をする際に、ヘルプキー５４Ｒを何度も押した場合、例えば１０秒間に数回押した場合、及び難しい調理メニューを選択した場合、その使用者には更に詳細な情報を優しく伝えることが必要であるという観点で、本来の表示部８Ｒの左側に隣接している表示部８Ｌを制御部１００が駆動する。但し、既に中央左ＩＨ部６ＭＬが加熱調理動作に入っていて、表示部８Ｌが有用な情報を表示している場合は、即時表示部８Ｌを表示駆動せず、音声合成装置１１４で何らかの案内をした上で表示部８Ｌを起動する。例えば、「現在の表示画面に左側の画面が点灯し、調理の参考情報をご案内します」というような音声ガイドを先に行ってから表示部８Ｌを駆動する。
【０１４６】
一定時間メニュー選択キー５３Ｒを押さないと、その直前に押した調理メニューを選択したと制御部１００が判断し、調理メニューの選択を確定させる。
【０１４７】
（ＳＴ１０）
使用者がヘルプキー５４Ｒを何度も押した場合や難しい調理メニューを選択した場合、既に中央左ＩＨ部６ＭＬが加熱調理動作に入っていない場合や、加熱調理動作に入っていても、例えば長時間の煮込み調理のように、短時間で鍋の内部の被調理液等が変化することが想定されない場合、制御部１００は音声合成装置１１４で何らかの案内をした上で隣接した表示部８Ｌを起動する。なお、通常の場面においては、左側の表示部８Ｌの画面の色がブルー系統であり、一方右側の表示部８Ｒの画面の色がイエロー系統であった場合、上記のように隣接して一つの加熱部６ＭＲの表示部になる場合には、例外的に色を同じにすることが良い。前記の例では、左側の表示部８Ｌの画面の色がブルー系統で点灯せず、イエロー系統で点灯し（あるいは途中で、ブルーからイエローに変化し）、使用者が２つの表示部８Ｒ、８Ｌを見た場合、あたかも一つの表示画面であるかの如く見えることが望ましい。そのため、この実施の形態１においては、２つの表示部８Ｒ、８Ｌの表示画面の間の隙間ができるだけ小さくなるように、２つの表示画面の向かい合う端面が、密着又は近接する状態になるように設置してある。
【０１４８】
また左側の表示部８Ｌと右側の表示部８Ｒが同時に駆動され、その両方の画面の色がイエロー系統になることに加え、前記発光表示部５７が黄色の光を出すように発光動作するから、２つの表示部８Ｌ、８Ｒが一つであるという印象を使用者に与えることができる。
【０１４９】
（ＳＴ１１）
使用者がその後、火力設定キー５２Ｒを操作して火力を増減させると、選択した中央右ＩＨ部６ＭＲの設定操作は完了し、加熱駆動動作が開始される。なお、ヘルプキー５４Ｒが所定の時間内に操作された回数がゼロ又は少ない場合、制御部１００は使用者が習熟者であると推定し、そのまま火力設定のステップＳＴ１１に処理を進める。これ以後、主電源スイッチが切られない限り制御部１００は習熟者モードの制御を行う。一方、制御部１００は左側の表示部８Ｌを点灯させた段階で、この使用者は初心者であると判別し、以後は初心者モードで音声ガイドを行い、また表示部６Ｒにも表示を詳しく行う。以上のように使用者による通常の加熱調理の操作により、使用者にとって適切なガイド機能のモードが、制御部１００によって選定される。
【０１５０】
また使用者は自分自身で習熟度を判断して、初心者モードや習熟者モードに切り替える操作を行う必要がない。よって、使用者が自身の習熟度を判断できない場合であっても、使用者にとって適切なガイド機能のモードを設定することができる。
また、操作モードを設定するためだけに別途スイッチを設ける必要がなく、コストの軽減を図ることができる。さらに使用者は、ガイド機能のモードを設定するための操作を行う必要がないので、操作性を向上させることができる。
【０１５１】
図１５は、中央右ＩＨ部６ＭＲが加熱駆動中に、中央左ＩＨ部６ＭＬも加熱調理動作に入っていて、２つの表示部８Ｌ、８Ｒにそれぞれ火力情報が文字５５Ｌ、５５Ｒで表示されている状況を示したものである。
【０１５２】
図１６に示した状態は、中央右ＩＨ部６ＭＲが使用され、中央左ＩＨ部６ＭＬは使用されていない状態を示している。表示部８Ｌは、中央右ＩＨ部６ＭＲの表示部８Ｒと同時に一つの調理メニューに関連した情報を表示している。中央右ＩＨ部６ＭＲは火力８で「切りタイマー調理」をしている状態であり、使用者が加熱開始前に設定した加熱時間の内、あと残りは５分間あることを示している。このように加熱動作を大きな火力で続けていると、鍋の中の調理液が沸騰し、予期せぬ状態で鍋の外に溢れ出し、いわゆる「吹き零れ」が発生する場合がある。そこで制御部１００は、火力の大きさや加熱継続時間及び温度センサー３１Ｅの情報等から総合的に判断して吹き零れの可能性がある場合、この図１６のように「吹き零れ注意」の表示を行う。なお、音声合成装置１１４によっても、適当なタイミングで１回又は数回に亘り、色々な注意喚起のための音声ガイドを行う。
【０１５３】
図１７に示した状態は、中央右ＩＨ部６ＭＲが使用され、中央左ＩＨ部６ＭＬは使用されていない状態を示している。表示部８Ｌは、中央右ＩＨ部６ＭＲの表示部８Ｒと同時に一つの調理メニューに関連した情報を表示している。表示部８Ｒによれば、中央右ＩＨ部６ＭＲは火力５で「煮込み調理」をしている状態であることを示している。このような煮込み調理は比較的長い時間に亘り小火力、例えば火力２（３００Ｗ）で加熱を続けていると、鍋の中の調理液の変化は殆どなく、途中で具材への調理液の浸透や火力の調節などが気になることがある。その場合、ヘルプキー５４Ｒを押すと、例えば「火力３００Ｗで既に３０分経過したこと」、「鍋の内部温度は略１００度に近づいていること」等の情報を制御部１００から引き出すことができる。
【０１５４】
そのような「現在状況についての情報」の他に、「参考情報」としては図１７に示すように、煮込みの仕方についても知ることができる。この場合も２つの表示部８Ｌ、８Ｒは黄色の背景画面で、それぞれ情報を文字５５Ｌ、５５Ｒで表示し、更に発光表示部５７が駆動され、それら２つの表示部８Ｌ、８Ｒを囲むように黄色の光の帯をトッププレート１２の表面に表示する。
【０１５５】
以上説明したように、この発明の実施の形態１の加熱調理器は、本体１の上部に所定の間隔を持って設置された第１の（誘導加熱方式の）加熱部６ＭＲ及び第２の（誘導加熱方式の）加熱部６ＭＬと、この第１、第２の加熱部６ＭＬ、６ＭＲの通電を個別に制御する制御部１００と、前記本体１に設けられ、前記制御部１００に操作指令を与える複数個の操作キーを備えた操作部５と、前記操作キーによって設定された調理条件を表示するため前記本体１に設置された表示部１０と、を備え、前記表示部１０は、前記第１の加熱部６ＭＲに対応した第１の表示部８Ｒと、これに隣接した位置にあり前記第２の加熱部６ＭＬに対応した第２の表示部８Ｌ、とを備え、前記操作部は、前記第１の加熱部６ＭＲに対応した第１の操作部５Ｃと、第２の加熱部６ＭＬに対応した第２の操作部５Ｄとを有し、前記第１の操作部５Ｃには、加熱部を選択する第１操作キー（切入スイッチ）５１Ｒと、火力を入力する第２操作キー（火力設定スイッチ）５２Ｒと、調理メニューを選択する第３操作キー（メニューキー）５３Ｒとをそれぞれ具備し、前記制御部１００は、前記第１操作キー５１Ｒの操作後に、前記第３操作キー５３Ｒが操作された場合、前記第１の表示部８Ｒには調理メニューを表示し、かつ前記第２の表示部８Ｌには調理メニューを選択する際の参考情報を表示させる構成である。
【０１５６】
このような構成であるから、この実施の形態１においては、本体１の上部に所定の間隔を持って設置された第１の加熱部６ＭＲと第２の加熱部６ＭＬでそれぞれ個別に加熱調理ができるとともに、加熱部６ＭＲに対応した表示部８Ｒだけでは使用者に有益な情報を十分に表示できないという状況を改善するため、調理メニューキー５３Ｒを操作した場合に、隣りにある加熱部の表示部８Ｌを利用でき、表示面積が拡大することによって使用者、特に調理器に不慣れな初心者にも有益な情報を表示して知らせることができる。これによって使い勝手の良い加熱調理器を提供することができる。
【０１５７】
また、この発明の実施の形態１の加熱調理器では、前記第１の加熱部６ＭＲと第２の加熱部６ＭＬは誘導加熱式加熱部であり、第１の加熱部６ＭＲの誘導加熱コイル６ＭＲＣに隣接する位置に第２の加熱部６ＭＬの誘導加熱コイル６ＭＬＣがあり、当該２つの誘導加熱コイル６ＭＲＣ、６ＭＬＣは、前記制御部１００によって、異なる被加熱物Ｎを互いに独立して加熱する単独加熱モードと、両者によって単一の被加熱物Ｎを加熱する協同加熱モードの何れの形態にも通電が制御される構成である。
【０１５８】
このような構成であるから、この実施の形態１においては、一つの加熱部では対応できないような大型の非円形鍋（楕円鍋など）にも対応でき、さらに使い勝手を向上させることができる。
【０１５９】
なお、以上説明から明らかな通り、実施の形態１に係る誘導加熱調理器は、被調理物を入れる鍋などの被加熱物Ｎが載置されるトッププレート１２を上面に備えた本体１と、前記トッププレート１２の下方に隣接して配置された第１の誘導加熱源６ＭＲ、第２の誘導加熱源６ＭＬ及び第３の誘導加熱源６Ｌ、これらの加熱源の各誘導加熱コイル６ＭＲＣ、６ＭＬＣ、６ＬＣに誘導加熱電力を供給するインバーター回路２０，２１、２２、２３と、このインバーター回路の出力を制御する制御部１００と、この制御部に加熱の開始や火力設定などを指示する操作部５と、を有し、前記第３の誘導加熱源６Ｌは円形状の中央コイル（主加熱コイル）ＭＣと、この周囲に配置した細長形状の複数個の側部コイルＳＣ１と、を備え、前記第１又は第２の何れかの誘導加熱源６ＭＲ、６ＭＬには、前記側部コイルを包含する円の直径Ｄ４より小さく、かつその中央コイルＭＣの外径Ｄ２よりも大径Ｄ６、Ｄ７な円形コイル６ＭＲＣ、６ＭＬＣを具備し、前記第３の誘導加熱源６Ｌは、中央コイルＭＣ単独での誘導加熱と、中央コイルＭＣと１個又は複数個の側部コイルＳＣとの協同加熱とを被加熱物Ｎの大きさに応じて自動的に又は手動にて切り替え可能な構成にしたものである。
【０１６０】
これにより限られた面積のトッププレート２１の上で、中央コイルＭＣ単独、中央コイルＭＣと側部コイルＳＣ１〜ＳＣ４の協同加熱及び第１又は第２の誘導加熱源６ＭＲ、６ＭＬ単独加熱、という３つの加熱手段を選択でき、単に２種類の円形加熱コイルを有する従来の２口タイプの調理器よりも幅広い大きさの被加熱部に対応することができ、使い勝手を向上させることができる。
【０１６１】
実施の形態２
図１８〜図２１は本発明の実施の形態２に係る加熱調理器を示しており、図１８は、本発明の実施形態２に係る誘導加熱調理器の動作例１を示す全体平面図である。図１９は、本発明の実施形態２に係る誘導加熱調理器の動作例２を示す全体平面図である。図２０は、本発明の実施形態２に係る誘導加熱調理器の操作部平面図である。図２１は、本発明の実施形態２に係る誘導加熱調理器の動作を示すフローチャートである。なお、前記実施の形態１の構成と同一又は相当部分には同一符号を付している。また特に明示しない限り、実施の形態１において用いられた用語は、本実施の形態２でも同じ意味で使用する。さらに図１８、１９においても、各加熱コイルの上でハッチングを施したものは加熱駆動されていることを示している。また操作部と表示部についても、ハッチングを施したものは駆動されていることを示している。
【０１６２】
この実施の形態の調理器は、ビルトイン式の誘導加熱調理器であり、本体１の後部天面には吸気口３５Ｒと排気口３５Ｌが形成されている。この吸気口から室内の空気を送風機（図示せず）で吸引し、本体１内部の電気部品や誘導加熱コイルを冷却した風が排気口３５Ｌから放出されるようになっている。
【０１６３】
図１８と図１９において、６ＲＣ１〜６ＲＣ４は、右ＩＨ部６Ｒを構成する加熱コイルであり、それぞれ外径寸法が１００ｍｍ程度の小型加熱コイルであり、前後左右に一定の間隔で合計４個並べてある。
６ＲＬは実施の形態１で示したような左ＩＨ加熱部であり、主加熱コイルＭＣと複数個の副加熱コイルＳＣから構成させている。
【０１６４】
前記各小型加熱コイル６ＲＣ１〜６ＲＣ４は全て誘導加熱源となるものであり、それらの前後及び左右方向の相互間隔Ｗ２は、それぞれ２０〜３０ｍｍ程度である。このためこれら４つの加熱コイル毎に高周波電力を供給するため、インバーター回路（図示せず）は４つ独立して設けてある。
【０１６５】
この実施の形態２では、第１の加熱部は右側の２つの小型加熱コイル６ＲＣ２、６ＲＣ４である。また第２の加熱部は、それら加熱コイル６ＲＣ２、６ＲＣ４に対して左側位置にある２つの小型加熱コイル６ＲＣ１、６ＲＣ３である。
【０１６６】
左ＩＨ部６Ｌと右ＩＨ部６Ｒとの対向間隔Ｗ１は１００ｍｍ、右ＩＨ部６Ｒとトッププレート１２の実質的な右端部までの間隔Ｗ６は１００ｍｍである。Ｗ５は、右ＩＨ部６Ｒとトッププレート２１の実質的な前端部までの間隔をいい、４０ｍｍ〜５０ｍｍである。ここで前記「実質的な右端部」、「実質的な前端部」という意味は、トッププレート２１の外周縁は、幅が１０〜２０ｍｍ程度の額縁状の枠で覆われているので、その枠までの端部を指す。
【０１６７】
図２０は本実施の形態２の操作部５の一部を示す図である。本実施の形態２においては、上記実施の形態１の構成に加え、操作キーの下方または近傍に配置された表示灯を備えている。図２０に示すように、主電源スイッチの操作キー１１の下方には、発光ダイオード（ＬＥＤ。図示せず。表示灯に該当）が配置され、そのＬＥＤが点灯した場合に、所定の明るい色で光る窓９１Ａが主電源スイッチの操作キー１１真横に設けられている。この窓が主電源スイッチ用の表示部となる。
【０１６８】
切入スイッチ５１Ｒの下方には同様にＬＥＤ（図示せず。表示灯に該当）が設けられている。そしてその切入スイッチ５１Ｒの左横にはそのＬＥＤが点灯した場合に、所定の明るい色で光る窓９１Ｂが設けられている。この窓が切入スイッチ５１Ｒ用の表示部となる。
なお、本実施の形態５ではＬＥＤを用いるが本発明はこれに限らず、任意の発光素子等を表示灯として用いることができる。発光素子は発光部駆動回路（図示せず）を介して制御部１００により制御される。その表示部によって発光部駆動回路と発光素子によって「光ガイド部」が構成される。
【０１６９】
同様に、火力設定スイッチ５２Ｒ、５２Ｌ、切タイマースイッチ５８、調理メニューの選択キー５３Ｒ、後述する切り替えスイッチ５９の真横又は手前位置には、それぞれ個別に設けたＬＥＤ（図示せず。発光素子）の点灯時にそれの光を受けて明るく光る窓９１Ｃ、９１Ｄ、９１Ｅ、９１Ｆ、９１Ｇがそれぞれ設けられている。これら窓はそれぞれ表示部となる。
【０１７０】
５９は、４つの小型加熱コイル６ＲＣ１〜６ＲＣ４の内、前後の加熱コイルを切り替えて使用する場合に使用する切り替えスイッチである。このスイッチを操作すると、例えば右側の操作部８Ｒを使用する場合、後方の小型加熱コイル６ＲＣ２と手前の加熱コイル６ＲＣ２の何れか一方を選定できる。また左側の操作部８Ｌを使用する場合、後方の小型加熱コイル６ＲＣ３と手前の加熱コイル６ＲＣ１の何れか一方を選定できる。
【０１７１】
切り替えスイッチ５９を１回押すと、手前の小型加熱コイル６ＲＣ１、６ＲＣ２が選択され、もう１回押すと後方の加熱コイル６ＲＣ３、６ＲＣ４が選択される。さらに押すと全ての小型加熱コイル６ＲＣ１〜６ＲＣ４が選択される。但し、切入スイッチ５１Ｒを押さない限り、右側の小型加熱コイル６ＲＣ２、６ＲＣ４は動作しない。同様に切入スイッチ５１Ｌを押さない限り、左側の小型加熱コイル６ＲＣ２、６ＲＣ４は動作しない。この切り替えスイッチ５９は、切入スイッチ５１Ｒ、５１Ｌの何れかを押した場合、押した側の表示部８Ｒ又は８Ｌが駆動されるので、この状態で切り替えスイッチ５９を押せば、その押す操作毎に表示部８Ｒ又は８Ｌに選択結果がリアルタイムで表示される。
【０１７２】
また、本実施の形態２における表示部１０は、制御部１００からの指示に従い、前記した各ＬＥＤをそれぞれ駆動する。なお、その他の構成は上記実施の形態１と同様であり、同一部分には同一の符号を付する。
【０１７３】
このような構成により、制御部１００は、まず初心者モードが制御部１００によって選択される。
そして、初心者モードが選択され状態において、各操作スイッチのうち、任意の操作スイッチが操作された後、当該操作スイッチの次に操作が可能となる１または複数の操作スイッチの表示灯を、点灯または点滅させ、前記の各窓９１Ａ〜９１Ｇの部分が明るく光る。
【０１７４】
例えば右側の小型加熱コイル６ＲＣ２、６ＲＣ４の２つにより協同加熱が開始がされる場合の動作について説明する。
（１）加熱調理器に商用電源が供給され、主電源スイッチの操作キー１１を押すと、この部分のＬＥＤを点灯させ、表示部９１Ａを光らせたままにするので、主電源が入っていることが使用者には容易に目視で分かる。
【０１７５】
（２）制御部１００は、初期設定として初心者モードを選択する。初心者モードにおいて制御部１００は、次に操作が可能となる切入スイッチ５１Ｒ、５１Ｌ及び左ＩＨ部６Ｌの切入スイッチ（図示せず）を、表示部９１Ｂを点灯させることで使用者に知らせる。
【０１７６】
次に操作すべきキーを示すため表示部９１Ｇを点滅させる。これにより、使用者は、次の順序となる操作スイッチが切り替えスイッチ５９であると認識することができる。
【０１７７】
また次に操作すべきキーを示すため表示部９１Ｃを点滅させる。これにより、使用者は、次の順序となる操作スイッチが調理メニュー選択キー５３Ｒであると認識することができる。
【０１７８】
次に操作すべきキーを示すため表示部９１Ｄ、９１Ｅを点滅させる。これにより、使用者は、次の順序となる操作スイッチが火力設定スイッチ５２Ｒであると認識することができる。
【０１７９】
なお、使用者は、調理メニュー選択キー５３Ｒをタッチ操作した際に、表示部８Ｒには、湯沸しや保温、揚げ物、煮込み等の複数の調理メニューが表示され、その表示部の画面に直接触れて所望のメニューをダイレクトに選択することができる。
【０１８０】
調理メニュー選択キー５３Ｒの選択結果によっては、切タイマー５８の表示部９１ＦがＬＥＤ（図示せず）によって点滅状態に照らされることもある。
【０１８１】
使用者が、調理メニュー選択キー５３Ｒをタッチ操作した際に、表示部８Ｒに加えてその左側に隣接している表示部８Ｌが駆動される場合がある。例えば前記したように、湯沸しや保温、揚げ物、煮込み等の複数の調理メニューが表示された場合、そのような調理メニューの内容を使用者が直ぐには理解できない場合がある。そこで使用者がヘルプキー５４Ｒを押した場合、表示部８Ｌが駆動され、その表示画面には各種調理メニューの概要や注意事項などが文字で表示される。なお、この実施の形態２においては、使用者の操作間違いを制御部１００が検知し、そのような間違いが一定の回数を超えると、同様に表示部８Ｌを駆動するところが特徴である。
【０１８２】
図２１に示すフローチャートは、４つの小型加熱コイル６ＲＣ１〜６ＲＣ４の全部又はその一部を使用する前提で記載している。
以下、図２１の各ステップに基づき説明する。
【０１８３】
（ＳＴ２０）
使用者は主電源スイッチのキー１１をオンにする。これにより制御部１００等に電力が供給される。
【０１８４】
（ＳＴ２１〜ＳＴ２２）
制御部１００は、複数個の人検知部１１２を同時に起動し、所定の短時間間隔で人の存在を繰り返しチェックする。人がいることが検知された場合、次の処理ＳＴ２３に進む。
【０１８５】
（ＳＴ２３）
制御部１００は、初期設定として初心者モードを選択する。さらに制御部１００は、その記憶部から初心者モード用のガイド情報を取得し、当該ガイド情報を音声合成装置１１４に伝達するから、音声合成装置は、初心者モードに応じた音声ガイドをスピーカー１１３により出力させる。例えば「最初に使用する加熱源を選択して下さい。選択は各加熱源の手前にある入切スイッチにタッチすれば行えます」というような案内をする。
【０１８６】
（ＳＴ２４）
使用者が切入スイッチ５１Ｒを操作した場合、４つの小型加熱コイル６ＲＣ１〜６ＲＣ４の内、右列の２つの加熱コイル６ＲＣ２、６ＲＣ４を選択したことになる。
この選択操作が行われないと、如何なる表示部８Ｒ、８Ｌ、９の液晶画面もバックライトが点灯せず、文字や記号などが一切表示されない。今回の場合は、切入スイッチ５１Ｒを操作したことで最も右側の表示部８Ｒの液晶画面もバックライトが点灯し、表示動作が開始され、次の操作を促す文字や記号などが表示される。
【０１８７】
使用者は表示部８Ｒの液晶画面の文字や記号を見ながら、まず前後の小型加熱コイル６ＲＣ２、６ＲＣ４の何れを使用するのか、または両方使用するのかを切り替えスイッチ５９で選択し、その上で調理メニューの選択をすることになる。調理メニューの選択はキー５３Ｒを押すたびに順次表示部８Ｒに調理の名称などが表示されるので、所望のメニューが表示部８Ｒに出るまでキー５３Ｒを押す。
【０１８８】
本実施の形態２では、最初は初心者モードを制御部１００が選定しているが、この調理メニュー選択やの小型加熱コイル６ＲＣ１〜６ＲＣ４の選択の場面で、次に操作が可能となる１または複数の操作スイッチ以外の操作スイッチが操作されたとき、つまり誤った操作手順を使用者が行った場合には、隣接する表示部を駆動して、誤った操作の原因やその解消のために使用者に必要な情報を表示することが特徴である。
【０１８９】
例えば、切入スイッチ５１Ｒがオン操作された後、次に操作が可能となる操作スイッチは、切り替えスイッチ５９である。その次は調理メニューの選択キー５３Ｒ、最後に火力設定スイッチ５２Ｒである。
従って、切入スイッチ５１Ｒがオン操作された後、その直後に火力設定スイッチ５２Ｒをオン操作しても当該機能を実行しない状態である（不許可状態）。
【０１９０】
（ＳＴ２５）
このように、ある操作スイッチがオン操作された後に、不許可状態にある操作スイッチが操作された場合には、制御部１００は、誤操作されたと判断して、その回数をカウントする。そして誤った操作であることを音声合成装置１１４で報知する。しかし、その次にも再び誤った操作が行われた場合、その操作もカウントする。そしてこのような誤操作回数が所定値を超えた場合、例えば２回になったかどうかを判定する。
【０１９１】
（ＳＴ２６）
誤操作回数が多いと判定された場合、制御部１００は初心者モードを維持したまま、次の処理として隣接加熱部の表示部を駆動する処理を開始する。
【０１９２】
（ＳＴ２７）
制御部１００は、隣接する左側の表示部８Ｌを駆動して、誤った操作の原因やその解消のために使用者に必要な情報を表示する。これの表示と同期して、音声合成装置１１４は同様に使用者に正しい操作のための情報を音声で報知する。
【０１９３】
その後、制御部１００は、調理メニューの選択キー５３Ｒで調理メニューが行われたかどうかチェック（ＳＴ２８）し、更に加熱コイル選定が行われたかどうかをチェック（ＳＴ２９）し、行われた場合、火力設定が行われたかどうかチェック（ＳＴ３０）し、これらによって最後に選定された加熱コイルによる加熱が本格的に開始される。
【０１９４】
（ＳＴ３１）
一方、誤操作の回数が多くないと判定された場合、制御部１００は初心者モードから習熟者モードに制御モードを切り替える。以降、制御部１００は、記憶部１０１から習熟者モード用のガイド情報を取得し、当該ガイド情報に従い、動作状態に応じた音声ガイドをスピーカー１１３により出力させる。
【０１９５】
図１８に示した状態は、右ＩＨ部６Ｒの小型加熱コイル６ＲＣ１〜６ＲＣ４の内、後ろ側にある２つの加熱コイルを協同加熱形態で使用している場合を示す。この場合は、最初に右側の操作部５Ｃの切入スイッチを選択しても、左側の操作部５Ｄの切入スイッチを選択して良いが、調理メニューの選択キー５３Ｒ、５３Ｌの中に「協同加熱」という選択肢を設けてあり、それを選択すると、最初は全ての小型加熱コイル６ＲＣ１〜６ＲＣ４に鍋が置かれているかどうかの判定が制御部１００で行われる。
【０１９６】
実施の形態１で示したような被加熱物載置判断部３３の動作によって大きな鍋や鉄板が置かれていることを検知するので、そのような鍋や鉄板が置かれた位置、方向によって自動的に駆動される加熱コイルが定まる。従って、切り替えスイッチ５９によって使用する加熱コイルを指定しても、結果的に本格的に加熱駆動される加熱コイルが異なる場合があるが、何れにしても左右２つの小型加熱コイルが関わる協同加熱は、図１８に示すように左右の表示部８Ｒと８Ｌは、調理メニューの選択キー５３Ｒ、５３Ｌで「協同加熱」という選択がされた時点で、同時に表示動作を行うように連携する。更にこのように２つの隣接する表示部８Ｒ、８Ｌが連携し、かつ協同加熱の場合は、少なくとも加熱を停止、又は火力を下げる、という安全側の操作は、隣の操作部でも実行できるように操作部も連動するようにしている。
【０１９７】
例えば、最初右側の操作部５Ｃで操作開始し、入切スイッチ５１Ｒを押したとしても、その後図１８のように、左側後部の小型加熱コイル８ＲＣ３と右側後部の小型加熱コイル８ＲＣ４との協同加熱になった場合、両方の切入スイッチ５１Ｒ、５１Ｌの何れを押しても加熱停止でき、また火力は火力スイッチ５２Ｒ、５２Ｌの何れでも下げることが可能になる。これは協同加熱の過程で、急に吹き零れが発生するような兆候が見えたとき、左右の操作部８Ｒ、８Ｌのどちらを選ぶべきかという判断を不要にし、すばやく対処できるようにするためである。
【０１９８】
なお、上記の説明では、不許可状態にある操作スイッチが所定回数以上操作されたときに、隣接する表示部を駆動する場合を説明したが、これに限らず、例えば、不許可状態にある操作スイッチが１回操作されたことと、ヘルプキー５４Ｒが１回でも押されたことをカウントし、表示部８Ｌを駆動するようにしても良い。なお、実施の形態１のように、ヘルプキー５４Ｒが押されたことの他に、特殊な調理メニューを使用者が表示させたまま、しばらく何もスイッチの操作が無い場合、使用者がメニュー選択に迷っているか、あるいは現在の表示内容だけでは次の操作を理解できない状態になっていると制御部１００が推定し、表示部８Ｌを駆動しても良い。
【０１９９】
なお、前述したように、左右に並んだ２つの加熱コイル６ＲＣ３、６ＲＣ４の組又は加熱コイル６ＲＣ１、６ＲＣ２の組を使用して単一の被加熱物Ｎを協同加熱する場合、切入スイッチ５１Ｒ、５１Ｌの何れか先に押した方の操作部が制御部１００によって有効になっているが、協同加熱を開始した後で操作部５Ｃと５Ｄの何れでも操作できるようにしても良いし、あるいは一部の入力操作だけに限定して操作できるようにしても良い。例えば、最初に右側の操作部５Ｃで操作開始して協同加熱開始した場合、左側の操作部５Ｄからは火力の増加はできないが、切入スイッチ５１Ｌで加熱停止はできるようにしても良い。しかしながら、使用者が混乱することを避けるために、前記したような場合は、左側の操作部５Ｄからは火力の増減や加熱停止等一切操作ができないようにしても良い。
【０２００】
あるいは、仮に左側の操作部５Ｄを最初に操作して協同加熱を開始した場合でも、一旦協同加熱開始した場合、右側の操作部５Ｃを優先するか左側の操作部５Ｄを優先するかを使用者に選択してもらうようにしても良い。例えば利き手が右手側にある使用者は、操作を右手で行うことが殆どであるから、右に操作部を設定し、左側に参考情報の表示部が表示される方が使い勝手が良い。この場合、もし左側の操作部５Ｄを最初に操作して協同加熱に至った場合、右側の操作部５Ｃの表示部８Ｒが追加で駆動され、調理参考情報などを表示する訳であるが、右操作部５Ｃへの変更を指令した段階で、図１７に示したように、左側に隣接した表示部８Ｌ側にそのような調理参考情報の表示が移り、右側の表示部８Ｒには、本来の火力値等が表示されるように左右表示部８Ｒ、８Ｌ間で表示情報を入れ替えた形にしても良い。何れにしても、左右に並んだ２つの加熱部で協同加熱する場合、左右にある操作部のどちらを使用するか選択できることが望ましい。もちろん、左右にある操作部５Ｃ、５Ｄのどちらも使用できるようにしても良い。
【０２０１】
以上のように本実施の形態２においては、各操作スイッチのうち、任意の操作スイッチが操作された後、当該操作スイッチの次に操作が可能となる１または複数の操作スイッチの表示部を、発光素子からの光によって点灯または点滅状態として目視できる状態にさせる。
【０２０２】
このため、上記実施の形態１の効果に加え、発光素子により操作のガイドを行うことができ、操作に不慣れな初心者による操作順序の迷いや誤操作を低減することができる。よって、使用者にとって適切な操作のガイド機能を提供でき、さらに使い勝手を向上することができる。
【０２０３】
以上説明したように、この発明の実施の形態２の加熱調理器は、本体１の上部に所定の間隔を持って設置された第１の加熱部を構成する加熱コイル６ＲＣ２、６ＲＣ４及び第２の加熱部を構成する加熱コイル６ＲＣ１、６ＲＣ３と、この第１、第２の加熱部の通電を個別に制御する制御部１００と、前記本体１に設けられ、前記制御部１００に操作指令を与える複数個の操作キーを備えた操作部５と、前記操作キーによって設定された調理条件を表示するため前記本体１に設置された表示部１０と、を備え、前記表示部１０は、前記第１の加熱部に対応した第１の表示部８Ｒと、これに隣接した位置にあり、前記第２の加熱部に対応した第２の表示部８Ｌ、とを備え、前記操作部５は、前記第１の加熱部に対応した第１の操作部５Ｃと、第２の加熱部に対応した第２の操作部５Ｄとを有し、前記第１の操作部５Ｃには、加熱部を選択する第１操作キー（切入スイッチ）５１Ｒと、他の加熱条件を入力する第２操作キー（火力設定スイッチ５２Ｒ、調理メニュー選択キー５３Ｒ）とをそれぞれ具備し、前記制御部１００は、前記第１操作キー５１Ｒの操作後に、前記第２操作キーが誤って操作された場合、前記第１の表示部８Ｒの表示動作中に、前記第２の表示部８Ｌを表示動作させ、当該第２の表示部には操作を適正に行う際の参考情報又は注意情報の少なくとも何れか一つを表示させる構成である。
【０２０４】
このような構成であるから、この実施の形態１においては、本体１の上部に所定の間隔を持って設置された第１の加熱部と第２の加熱部でそれぞれ個別に加熱調理ができるとともに、各加熱部に対応した各表示部８Ｒ、８Ｌだけでは使用者が操作を間違ったり、迷ったりした場合に有益な情報を十分に表示できないという状況を改善するため、誤操作した場合に、隣りにある加熱部の表示部を利用でき、表示面積が拡大することによって使用者、特に調理器に不慣れな初心者にも有益な情報を表示して知らせることができる。これによって使い勝手の良い加熱調理器を提供することができる。
【０２０５】
また、この発明の実施の形態１の加熱調理器では、第１の加熱部を構成する加熱コイル６ＲＣ２、６ＲＣ４と、第２の加熱部を構成する加熱コイル６ＲＣ１、６ＲＣ３は、何れも誘導加熱で加熱する加熱源になるものであり、しかもそれら２つの誘導加熱源は、前記制御部１００によって、異なる被加熱物Ｎを互いに独立して加熱する単独加熱モードと、両者によって単一の被加熱物Ｎを加熱する協同加熱モードの何れの形態にも通電が制御される構成である。
【０２０６】
このような構成であるから、この実施の形態２においては、一つの加熱部では対応できないような大型の非円形鍋（楕円鍋など）にも対応でき、さらに使い勝手を向上させることができる。
【０２０７】
実施の形態３
図２２〜２６は、本発明の実施形態３に係る誘導加熱調理器を示すもので、図２２は、本発明の実施形態３に係る誘導加熱調理器の動作例１を示す平面図である。図２３は、本発明の実施形態３に係る誘導加熱調理器の動作例２を示す平面図である。図２４は、本発明の実施形態３に係る誘導加熱調理器の操作部拡大説明図１である。図２５は、本発明の実施形態３に係る誘導加熱調理器の操作部拡大説明図２である。図２６は、本発明の実施形態３に係る誘導加熱調理器の操作部拡大説明図３である。なお、前記実施の形態１の構成と同一又は相当部分には同一符号を付している。また特に明示しない限り、実施の形態１において用いられた用語は、本実施の形態２でも同じ意味で使用する。さらに図２２、２３において、各加熱コイルの上でハッチングを施したものは加熱駆動されていることを示している。また操作部と表示部についても、ハッチングを施したものは駆動されていることを示している。
【０２０８】
図２２〜図２６において、１はアイランドキッチンとも呼ばれるタイプの誘導加熱調理器本体で、誘導加熱部は全部で４個所ある。
本体１の天面を構成するトッププレート１２の下方には、左側から右へ誘導加熱式加熱コイル６ＬＣ２、６ＬＣ１、６ＭＣ、６ＲＣをそれぞれ配置している。
【０２０９】
６ＬＣ１は左ＩＨ部６Ｌの右側加熱コイル、６ＬＣ２は、同じく左ＩＨ部６Ｌの右側加熱コイルで、これら２つの加熱コイルの外径寸法Ｄ１１、Ｄ１２は１００ｍｍ程度である。この左側加熱コイル６ＬＣ１は、実施の形態１の図１２で示した中央左コイル６ＭＬＣに相当し、同じく図２２の左側加熱コイル６ＬＣ２は、図１２の中央右コイル６ＭＲＣに相当する。これら加熱コイル６ＬＣ１、６ＬＣ２の相互間隔Ｗ２は５０ｍｍ程度であり、実施の形態１の図１２で示した相互間隔Ｗ２に相当する。
【０２１０】
６ＭＣは中央ＩＨ部６Ｍの誘導加熱源の加熱コイルで、その外径は１８０ｍｍ程度である。６ＲＣは右ＩＨ部６Ｒの加熱コイルである。前記右ＩＨ部６Ｒの加熱コイル６ＲＣは、コイルを円形に巻いてドーナッツ状に形成した内側コイルと、このコイルの外側に空間を置いてドーナッツ状に形成された外側コイルとの２つの部分からなる主加熱コイルＭＣと、この主加熱コイルと同心円上でその外周に衛星のように配置された複数個の副加熱コイルＳＣとから構成されている。各副加熱コイルＳＣは、実施の形態１の図８で示したような扁平形状であり、主加熱コイルＭＣの外周縁に沿って全体がその主加熱コイルＭＣ側に湾曲した形状である。右ＩＨ部６Ｒの外径寸法は（全ての副加熱コイルＳＣを含めて）２２０ｍｍ、主加熱コイルの外径寸法は１３０ｍｍである。
【０２１１】
なお、各加熱コイル６ＬＣ１、６ＬＣ２、６ＭＣ、６ＲＣの最小定格火力は１００Ｗに統一されている。また設定できる火力は、１００Ｗ、３００Ｗ、５００Ｗ、７５０Ｗ、１０００Ｗ、１５００Ｗ、２０００Ｗまでは全ての加熱コイル６ＬＣ１、６ＬＣ２、６ＭＣ、６ＲＣで設定できる。中央ＩＨ部６Ｍと右ＩＨ部６Ｒでは、更に２５００Ｗと３０００Ｗの設定ができる。
【０２１２】
５は操作部で、本体ケース２の上面で前記トッププレート１２より手前に横に長く帯状に設けてある。５Ａは右ＩＨ部６Ｒの操作部、５Ｃは中央ＩＨ部６Ｍの操作部、５Ｅ１は左ＩＨ部６Ｌの右側コイル６ＬＣ１用の操作部、５Ｅ２は左ＩＨ部６Ｌの左側コイル６ＬＣ２用の操作部、１１は、主電源スイッチの操作キーである。
【０２１３】
７は、操作部５Ａの中に設けた表示部、８は操作部５Ｃの中に設けた表示部である。なお、操作部５Ｅ１、５Ｅ２の部分にもそれぞれ表示部（図示せず）が設けてある。９Ｒは操作部５Ｅ１の中に設けた表示部、９Ｌは操作部５Ｅ２の中に設けた表示部である。
【０２１４】
５７は実施の形態２で説明したものと同様な発光表示部であり、操作部５Ａ、５Ｃの後方端部に沿って横に長く設けてある。
【０２１５】
図２４、２５に示すように操作部５Ａ、５Ｃは、ガラス製トッププレート１２の裏面に形成された透明なタッチ電極（図示せず）が入力部となる。つまりトッププレート１２の所定部分に予め個別に静電容量変化を検知する電極が蒸着などで設けてあり、その電極部に対応する位置のトッププレート１２表面を使用者が指先で触れた場合、当該電極に入力があったことが制御部１００で検知される。
【０２１６】
一方、各電極部に対応する位置には、その下方にある表示部７の液晶画面で入力キーの機能名称が文字やマークで表示される。文字又はマークが表示されている場合に限り、その真上の位置のトッププレート１２表面を触れれば、有効な指令信号が制御部１００に入力される。
【０２１７】
前記各種入力キーは、図２４に示すように、加熱動作開始前の初期の段階では合計７個が表示される。各キーのタッチ部分はその下方にある液晶画面によって照らされ、各キーの位置や機能名称等がトッププレート１２の表面に現れる。
【０２１８】
各種入力キーとは、ヘルプキー５４Ｒ、火力設定用の一対の増減キー５２Ｒ、切入キー５１Ｒ、メニュー設定キー５３Ｒ、切タイマーキー６０、入力条件の確定キー６３Ｒが初期の段階で表示される。但し、これら７個のキーは常に表示されるものではなく、入力が必要な場面において表示されるように制御部１００で制御される。
【０２１９】
また図２６に示すように隣接する表示部８が表示された段階では、戻りキー６５が現れる。このキーを押せば、図２４の画面に強制的に戻る。さらに図２５の画面に戻るにはヘルプキー５４Ｒを押せば良い。但し、各加熱部の駆動開始と停止機能の入力だけは可能となるように、トッププレート１２の表面の特定部分には、切入スイッチのキー（以下、「切入キー」と省略する）５１Ｌ、５１Ｒの表示を印刷などで常に表示し、その部分を触れた場合、当該切入キーに対応した加熱部の選択が可能となるようにしている。つまり最も右側の誘導加熱部６Ｒを使用するために表示部７が駆動されている図２４の状態で、仮に切入キー５１Ｌにタッチすれば、中央ＩＨ部６Ｍの選択が行われ、中央ＩＨ部６Ｍの表示部８が駆動される。
【０２２０】
前記入力キー群の下方には、横長の液晶表示画面を備えた液晶表示基板（表示部７）が配置されている。図２４の場面では、表示部７は後方部分で火力の大きさを図形６１で表示している。図２４の操作部５Ａの中に破線の枠で示した部分に、入力結果が文字で表示される。なお、操作部５Ｃにも操作部５Ａの各種キーと全く同じキーが配置され、またその下方には同様に液晶表示画面を備えた表示部８がある。その他操作部５Ｅ１、５Ｅ２でも同様に表示部９Ｒ、９Ｌが構成されている。
【０２２１】
２つの操作部５Ａと５Ｃの液晶基板は全く同じものが使用されている。残りの２つの操作部５Ｅ１と５Ｅ２の液晶基板も互いに同じものが使用されているが、操作部５Ａと５Ｃの液晶基板に比較した場合、横幅は６０％程度である。これは特に右ＩＨ部６Ｒは、主加熱コイルＭＣと複数個の副加熱（側部加熱）コイルＳＣを組み合わせた加熱部であり、加熱パターン（主加熱コイルの火力と副加熱コイルの火力比や、その通電タイミング等を含む）が他の加熱部に比較して沢山あり、使用者が火力やメニュー選択の際に操作で判断に迷うことがないよう、多くの情報を示す必要があるから大きな表示面積がある表示部にしている。
【０２２２】
以上の構成において加熱動作を開始する場合について説明する。
最初に主電源スイッチの操作キー１１をＯＮにすると、最初に全ての操作部５Ａ、５Ｃ、５Ｅ１、５Ｅ２が各表示部７、８、９Ｒ、９Ｌのトッププレート１２の下方にある液晶画面の点灯によって照らされ、各種操作キー群が一斉にその画面表面に表示される。
【０２２３】
トッププレート１２の上から見た場合、そのトッププレート１２表面に各操作キーがあるように使用者には見える。そこで所望の加熱部の切入キー（５１Ｒ、５１Ｌなど）の真上部分にタッチ操作すると、その切入キーに対応した加熱部だけが選択されたことになり、当該加熱部に対応した操作部の表示部だけは表示動作が継続し、他の操作部の表示部は液晶画面が消え、入力キー群が見えなくなる。但し、前述したように、他の加熱部をその後選択する場面を考え、他の操作部でも、切入キーの入力機能は維持される。
【０２２４】
図２２は、右ＩＨ部６Ｒが加熱動作している場面を示し、操作部５Ａの表示部によってその特定の操作キーに隣接した位置にある表示部１０（７）の液晶画面だけがバックライトに照らされて表示動作が開始される。そこで更に操作を続けると、その操作結果がそのつど表示部７に表示され、必要な情報を表示する。
【０２２５】
図２３は、中央ＩＨ部６Ｍの加熱コイル６ＭＣが加熱動作している場面で、操作部５Ｃの表示部８が駆動された状態を示している。具体的には図２５に示すように、ヘルプキー５４Ｒが消え、その消えた部分も表示部８の表示エリア６２Ｌになっている。その表示エリアは図２５に破線で示している。一方、操作部５Ａでも左側部分にあったタイマーキー６０は消え、左側表示エリア６２Ｌの画面を送る（ページめくり）閲覧キー６６に機能変更されて入力キーが表示されている。
【０２２６】
つまり、操作部５Ａ、５Ｃの下方にある液晶画面では、破線で示したような２つの表示エリア６２Ｒ、６２Ｌが隣接して確保されるから、使用者がトッププレート１２の上方から見た場合、２つの液晶画面が１つに統合したようなイメージを抱くことが期待される。また表示される文字５５Ｒ、５５Ｌも図２５に示すように、左右方向に表示でき、必要に応じて対応記号５５Ｃも表示し、横に広い液晶画面が形成されたような感じを受ける。なお、閲覧キー６６にタッチすると、表示エリア５２Ｌと５２Ｒに表示された情報は順次更新されるので、最初の表示で完全に分らなかった場合でも閲覧キー６６をタッチして次のページを見た段階で理解できることになる。
【０２２７】
また発光表示部５７も所定の光を操作部５Ａ、５Ｃの後方で帯状に発するので、左右に長い操作部又は表示部が出来たような効果を発揮する。従って図２４に破線で示した表示エリアが、図２５に破線で示した広い表示エリアに変わるで、使用者に対して表示する情報量は拡大する。また表示する文字の大きさも大きくでき、更に見やすい画面にできる。なおそのような表示エリアに対応するトッププレート１２の表面に使用者が触れても、何ら操作指令信号は制御部１００に取り込まれない。
【０２２８】
以上説明したように、この実施の形態３では右ＩＨ部６Ｒは、主加熱コイルの外径寸法は１３０ｍｍであるから、小型の鍋も加熱できる一方、右ＩＨ部６Ｒの加熱コイル６ＲＣの最大外径寸法は２２０ｍｍもあるから、３００ｍｍ程度の大きな底面を有する鍋も加熱できる。
【０２２９】
また中央ＩＨ部６Ｍの加熱コイル６ＭＣの外径は１８０ｍｍ程度であるので、直径２００ｍｍ程度の標準的な鍋には好適である。さらに左ＩＨ部６Ｌの右側加熱コイル６ＬＣ１と左側加熱コイル６ＬＣ２は、その外径寸法Ｄ１１、Ｄ１２が１００ｍｍ程度であるので、中央ＩＨ部６Ｍでも右ＩＨ部６Ｒの主加熱コイルＭＣでも加熱しにくい１００ｍｍ程度の小径の鍋も加熱できる。
【０２３０】
また右ＩＨ部６Ｒでは底部の形状が長方径や楕円形などの場合でも、主加熱コイルＭＣと１つ又は複数個の副加熱コイルＳＣを組み合わせ、それらの協同加熱によって加熱調理できる。
【０２３１】
なお、各加熱コイル６ＬＣ１、６ＬＣ２、６ＭＣ、６ＲＣの最小定格火力は１００Ｗに統一されており、しかも設定できる火力は、１００Ｗ、３００Ｗ、５００Ｗ、７５０Ｗ、１０００Ｗ、１５００Ｗ、２０００Ｗまでは全ての加熱コイル６ＬＣ１、６ＬＣ２、６ＭＣ、６ＲＣで設定できるので便利である。例えば１つの加熱部で長時間の煮込みをしている場合、その加熱部で別の鍋で調理を開始したいと思ったとき、その煮込み調理の鍋を例えば左ＩＨ部６Ｌに移動する場面がある、この場合、左ＩＨ部で引き続き同じ火力調節ができるので、移動先での火力調節が容易になるという利点がある。
【０２３２】
また、２つの操作部５Ａの表示部７と、表示部５Ｃの表示部７は、できるだけ近接して並んだ状態にすることが望ましい。物理的に離れる場合でも使用者が２つの表示部を同じ視覚の中で認識できる範囲にすることが望ましい。一方の表示部から他方の表示部を見るためその都度視線を移動させる必要がないように配慮すれば、使用者は２つの表示部の表示情報を一体的に理解でき、操作の段階で迷ったような場合でも次の操作手順や現在の調理条件入力状況などを正しく理解しやすくなる。
【０２３３】
このように、この実施の形態３においても、実施の形態１と同様に、多種の大きさ、形状の被加熱物Ｎに対応して加熱調理開始でき、利便性が更に向上するものである。
なお、図１０に示した実施の形態のように、２つの加熱コイル６ＬＣ１、６ＬＣ２を協同加熱できるようにすれば、更に多様な大きさ、形状の鍋に対応できる利点がある。
【０２３４】
実施の形態４
図２７は、本発明の実施形態３に係る誘導加熱調理器の操作部拡大説明図１である。図２８は同じくその操作部拡大説明図２である。図２９は同じく操作部拡大説明図３であり、定格電力最大値を変更している段階を示している。なお、前記実施の形態１の構成と同一又は相当部分には同一符号を付している。また特に明示しない限り、実施の形態１において用いられた用語は、本実施の形態２でも同じ意味で使用する。さらに図２７の操作部と表示部において、ハッチングを施した部分は、駆動状態又は火力表示状態であることを示している。
【０２３５】
この実施の形態４の操作部５は、実施の形態３と同様に構成されているが、異なる部分は、節電効果を発揮させる運転状態（以下、「節電モード運転」という）を使用者が選択できるように、操作部５に節電モード運転の選択キー１１５を設けた点にある。節電モード運転とは、例えば湯沸しの場合、最大火力は２５００Ｗであり、沸騰してから１分経過時点で火力が３００Ｗまで強制的に下げられ、その下げられた火力で更に３分間加熱動作継続し、３分経過時点で自動的に加熱停止する制御プログラムが実行された加熱動作をいう。
【０２３６】
図２７に示したように、右ＩＨ部６Ｒを使用することを選択した場合、火力の設定段階で節電モード運転の選択キー１１５が表示される。この選択キーをタッチ操作すると、表示部７に現れている所定の大きさの表示エリア６２Ｒには、大きな火力で長時間加熱すると、電力量が増えるので、調理の進行に合わせて火力を調節することを推奨する文字が表示される。
【０２３７】
また、メニュー設定キー５３Ｒを押し、例えば湯沸しを選択した場合、その後で選択キー１１５をタッチすると、前記したように、沸騰してから１分経過時点で火力が３００Ｗまで強制的に下げられ、その下げられた火力で更に３分間加熱動作継続し、３分経過時点で自動的に加熱停止する湯沸し方法も表示エリア６２Ｒに表示され、その状態で入力条件の確定キー６３Ｒにタッチすれば、湯沸し制御方法が確定する。メニュー設定キー５３Ｒを押し湯沸しを選択した後、選択キー１１５をタッチしないと、沸騰してから１分経過時点で火力が３００Ｗまで強制的に下げられることはなく、当初設定した火力での加熱が継続するから沸騰状態が継続する。
【０２３８】
また、所定値よりも大きな火力（例えば１０００Ｗ以上）で加熱動作を開始した場合、図２７に示した選択キー１１５は、被加熱物Ｎの温度が沸騰に近づいた段階から継続して表示される。また特に他の情報の表示に支障がない場合、適当なタイミングで表示エリア６２Ｒには、現在の火力を１段階下げた場合には、どのくらいの電力削減になるという点について、文字で表示する（電力量の削減率や量に加えて又はそれらに代えて、１分あたりの電気料金を表示しても良い）。特に大火力（例えば２５００Ｗや３０００Ｗ）で湯を沸かす場合、沸騰してもそのまま火力を落とさないで加熱継続することはエネルギーを浪費する可能性があるので、特別な目的で沸騰を継続する場合（例えば煮沸による殺菌）以外では、火力を早く下げるか加熱を停止することが望ましい。
【０２３９】
前記節電モード運転の選択キー１１５を操作すると、使用者の節電希望にも応えられる参考情報が表示される。なお、図２８のように火力を下げることの効果を表示エリア６２Ｒに文字で表示している場合、火力設定用の一対の増減キー５２Ｒにタッチすれば、その時点から火力を変更できる。また左側に隣接した表示エリア６２Ｌを利用し、そのエリアで更に詳しい節電方法や調理条件の設定方法などの参考情報を表示させても良い。
【０２４０】
さらに、選択キー１１５を操作すると、表示エリア６２Ｒに、この加熱調理器の仕様によって定まる定格電力最大設定値を簡単に変更できる操作方法を表示させても良い。例えば一対の増減キー５２Ｒを同時にタッチすると、表示エリアに、２００Ｖ−３０Ａ（６０００Ｗ），２９Ａ（５８００Ｗ）、２４Ａ（４８００）、２０Ａ（４０００Ｗ）の４つの中から、１つを選択する方法を具体的に表示する。このようにして定格電力最大設定値を変更できると、一般家庭でのブレーカー（電力遮断器）の容量が十分にない場合、あるいは設置される家屋の内部配線により十分な電力を供給することができない場合、さらには空調機器や電気乾燥機などが同時に使用された場合に、その家庭で契約している電力量を大きく超える事態になる場合などに対応でき、加熱調理器の使用時に突然ブレーカが働いて停電してしまうという事態を避けることができる。
【０２４１】
１１６は変更キーであり、これを１回タッチするたびに、表示エリア６２Ｒの中に、変更する定格電力最大設定値を囲む四角の選択表示用の枠１１７が右方向に移動した表示になり、３０Ａの所にある状態から変更キー１１６を４回タッチすると、枠１１７は２０Ａの所に移動する。そこでこの段階でさらに変更キー１１６を１回タッチすると再び３０Ａの所に戻るように巡回する。図２９に示した状態は、変更前の現時点の定格電力最大設定値が３０Ａであり、現在２９Ａに変更できる場面である。この場面で入力条件の確定キー６３Ｒにタッチすれば、定格電力最大設定値が３０Ａから２９Ａへの変更操作が確定する。このように変更前後の設定値を同時に並べて表示することは、使用者の視覚による理解を助け、誤解を防止する観点から有益である。なお、この後、表示エリア６２Ｒには、新しい定格電力最大設定値が２９Ａになったことが文字で表示される（以上の変更動作を、実施の形態１で説明したように、音声合成装置１１４による音声ガイドによって報知すれば更に良い）。また定格電力最大設定値を変更場面では、誤操作を防止するため、火力設定用の一対の増減キー５２Ｒは表示されない。さらにメニュー設定キー５３Ｒは、前記した変更キー１１６に変更される。また火力設定用の一対の増減キー５Ｌは、前記した実施の形態３とは異なり、中央ＩＨ部６Ｍが使用されていない場合は、操作部８には何ら表示されないように制御部１００で制御される。
【０２４２】
このように、この実施の形態４においても、実施の形態１と同様に、多種の大きさ、形状の被加熱物Ｎに対応して加熱調理開始でき、利便性が更に向上するものである。
【０２４３】
なお、変更キー１１６と確定キー６３Ｒの２つを操作して定格電力最大設定値を変更する方法を更に簡単にするため、例えば一対の増減キー５２Ｒを同時にタッチした場合、操作部７に、３０Ａ、２９Ａ、２４Ａ、２０Ａの４つの選択キーを表示させ、それら１つに触れた場合、その操作で定格電力最大設定値を変更する作業を完了させるようにしても良い。つまり、前記変更キー１１６自体に特定の定格電力最大設定値に設定する機能を持たせ、このような変更キー１１６を定格電力最大設定値毎に計４個表示させ、その何れか１つを操作した場合にそのキーに対応した定格電力最大設定値になり、仮にこの直後に別の変更キー１１６を押した場合は、その後で操作した変更キー１１６に対応する定格電力最大設定値に設定されるという構成である。
【０２４４】
また節電モード運転の選択キー１１５を操作した場合、上記のような定格電力最大設定値を変更することができることを表示し、その具体的作業、例えば特定の２つの入力キーを同時に押すこと等を、文字や図形等で表示エリア６２Ｒ（必要ならば、更に隣接する表示エリア６２Ｌ）に表示させても良い。
【０２４５】
なお、図２７に示したように、切入スイッチ５１Ｒをタッチ操作して右ＩＨ部６Ｒを使用することを選択した場合、その後、複数個の特定の入力キーを（調理では使用しない）特殊な組み合わせで操作した場合、例えば前記したように一対の増減キー５２Ｒを同時にタッチした場合に、火力の設定や調理メニュー等を選択する前の初期の段階で、定格電力最大設定値を変更できる変更キー１１６を表示させても良い。このようにすれば加熱部が実際に加熱動作を開始する前に、調理器の定格電力最大設定値を簡単に変更できる。なお、一旦設定した定格電力最大設定値は、調理を終了して主電源を切っても制御部（通電制御回路）１００の記憶部に記憶されており、次の調理にも適用される。従って、例えば翌日再び調理を開始する際に、切入スイッチ５１Ｒをタッチ操作して右ＩＨ部６Ｒを選択するか、又は切入スイッチ５１Ｌをタッチ操作して左ＩＨ部６Ｌを使用しようとした場合、その時点で設定されている最新の定格電力最大設定値を、最初に表示エリア５２Ｒや５２Ｌに自動的に表示させ、使用者に注意を喚起することができる。
【０２４６】
また定格電力最大設定値を変更できる変更キー１１６は、右ＩＨ部６の使用を開始する場合だけではなく、左ＩＨ部６Ｌの使用開始する場合に表示させても良い。右ＩＨ部６と左ＩＨ部６Ｌ（その他加熱部がある場合にはその加熱部を含む）の使用を開始する場合、実施の形態１で説明したような音声合成装置１１４によって、使用者に対し「現在の定格電力最大値は３０アンペアに設定されています。変更する場合は、最初に一対の火力の増減キー５２Ｒを同時に５秒間押して下さい」のように音声でガイドすると更に便利である。
【０２４７】
さらに、前記実施の形態１で説明したように、使用者の各種入力キーの操作状態を制御部１００が自動的に判定して習熟者モードや初心者モードに自動的に切り替えるように制御部１００を構成した場合、あるいはヘルプキー５４Ｒの操作回数や操作頻度などに応じて習熟者モードや初心者モードが自動的に制御部１００によって判定されるように構成した場合、初心者モードにおいては定格電力最大設定値を変更できないようにしても良い。実施の形態１においては、初心者モードでは、調理器の使用可能な機能が一部制限されるようにしても良いことを述べたが、習熟者が、定格電力最大設定値を例えば２０Ａに設定して毎日調理をしているにも拘わらず、初心者がその設定値を解除して３０Ａに上げて操作できるようにすると、初心者で大きな火力、例えば２つの加熱部で、３０００Ｗと１０００Ｗの加熱を同時にできることになり、初心者モードの方が使用可能な範囲が拡大してしまうことになる。またその後習熟者が再び使用する場合に、初心者の設定をまた元に戻す作業が必要になり、使用頻度の高い習熟者にとって煩わしいことになるからである。
【０２４８】
以上の各実施の形態では、加熱部が誘導加熱方式のものである場合について述べたが、加熱部は電熱式又は輻射式の加熱源、例えばニクロム線やハロゲンヒータ、シーズヒータであっても良い。
【符号の説明】
【０２４９】
Ｄ１  内側コイル６ＬＣ１の外径、Ｄ２  外側コイル６ＬＣ２の外径、Ｄ３  左ＩＨ部の加熱コイルの外径、Ｄ４  中央左ＩＨ部の左側加熱コイルの外径、Ｄ５  中央左ＩＨ部で誘導加熱できる被加熱物Ｎの最大外径寸法、Ｄ７  中央右ＩＨ部６ＭＲの加熱コイル６ＭＲＣの外径、ＧＰ１  空間、ＳＣ（ＳＣ１〜ＳＣ４）  側部加熱コイル、ＳＰ  空間、Ｗ１〜Ｗ６  相互間隔、ＭＩＶ  主加熱コイルのインバーター回路、ＳＩＶ  側部加熱コイルのインバーター回路、ＳＩＶ１  側部加熱コイルのインバーター回路、ＳＩＶ２  側部加熱コイルのインバーター回路、ＳＩＶ３  側部加熱コイルのインバーター回路、ＳＩＶ４  側部加熱コイルのインバーター回路、ＷＡ  副加熱コイルの横幅、１  調理器本体、２  本体ケース、１２  トッププレート、３  吸気口、４  排気口、５  操作部、５Ａ  右前部ＩＨ部６ＲＦの操作部、５Ｂ  右後部ＩＨ部６ＲＢの操作部、５Ｃ  中央ＩＨ部６ＭＲの操作部、５Ｄ  中央左ＩＨ部６ＭＬの操作部、５Ｅ  第３の誘導加熱部（左ＩＨ部）の操作部、６Ｌ  第３の誘導加熱部（左ＩＨ部）、６ＭＬ  第２の誘導加熱部（中央左ＩＨ部）、６ＭＲ  第１の誘導加熱部（中央右ＩＨ部）、６ＲＢ  第４の誘導加熱部（右後部ＩＨ部）、６ＲＦ  第５の誘導加熱部（右前部ＩＨ部）、６ＬＣ１  内側コイル、６ＬＣ２  外側コイル、６ＭＬＣ  加熱コイル、６ＭＲＣ  加熱コイル、６ＲＣ１〜６ＲＣ４  加熱コイル、６ＲＢＣ  加熱コイル、６ＲＦＣ  加熱コイル、７  共用の表示部、８Ｒ  表示部、８Ｌ  表示部、９  表示部、１０  表示部、１１  主電源スイッチの操作キー、１２  トッププレート、１３  収納室、１４  収納ケース、１４Ａ  通気口、１４Ｂ  排気口、１５  放熱フィン、１６  仕切板、１７  通気口、１８  コイルベース、１９  送風機、２０〜２５  インバーター回路、２６  収納空間、２７  食器類収納室、２８  仕切板、３１  温度センサー、３１Ａ〜３１Ｇ  温度センサー、３３  被加熱物載置判断部、５１Ｒ  切入スイッチ、５２Ｒ  火力設定スイッチ、５３Ｒ  メニューキー、５４Ｒ  ヘルプキー、５５Ｒ  表示部８Ｒの表示文字、５５Ｌ  表示部８Ｌの表示文字、５７  発光表示部、５８  切タイマー、７４  電源部、７５  交流電源、７６  整流回路、７７Ａ  スイッチング素子の対、７８Ａ  スイッチング素子の対、７７Ｂ  スイッチング素子の対、７８Ｂ  スイッチング素子の対、７９Ａ  スイッチング素子、８０  直流電源部、８１Ａ  スイッチング素子、８６  平滑コンデンサー、８８Ａ  スイッチング素子、８９Ａ  スイッチング素子、９１Ａ〜９１Ｆ  窓、１００  通電制御回路、１０２Ｂ  スイッチング素子、１０３Ｂ  スイッチング素子、１０４Ｂ  スイッチング素子、１０５Ｂ  スイッチング素子、１１０Ａ  共振コンデンサー、１１０Ｂ  共振コンデンサー、１１２  人感知センサー、１１３  スピーカー、１１４  音声合成装置、１１５  節電モード運転の選択キー、１１６  定格電力最高設定値の変更キー、２２８Ａ〜２２８Ｄ  駆動回路。
【図１】
0006012780.tif 000002
【図２】
0006012780.tif 000003
【図３】
0006012780.tif 000004
【図４】
0006012780.tif 000005
【図５】
0006012780.tif 000006
【図６】
0006012780.tif 000007
【図７】
0006012780.tif 000008
【図８】
0006012780.tif 000009
【図９】
0006012780.tif 000010
【図１０】
0006012780.tif 000011
【図１１】
0006012780.tif 000012
【図１２】
0006012780.tif 000013
【図１３】
0006012780.tif 000014
【図１４】
0006012780.tif 000015
【図１５】
0006012780.tif 000016
【図１６】
0006012780.tif 000017
【図１７】
0006012780.tif 000018
【図１８】
0006012780.tif 000019
【図１９】
0006012780.tif 000020
【図２０】
0006012780.tif 000021
【図２１】
0006012780.tif 000022
【図２２】
0006012780.tif 000023
【図２３】
0006012780.tif 000024
【図２４】
0006012780.tif 000025
【図２５】
0006012780.tif 000026
【図２６】
0006012780.tif 000027
【図２７】
0006012780.tif 000028
【図２８】
0006012780.tif 000029
【図２９】
0006012780.tif 000030